(57)【要約】  本発明の実施形態は、ＵＥを管理するための方法、装置、及びシステムを提供する。本方法は、第１のＭＭＥによって、第１のＭＭＥにアクセスするＵＥが第２のＭＭＥプールのカバレッジ内のＵＥであるかを判定するステップであって、第１のＭＭＥは、第１のＭＭＥプールに位置し、第１のＭＭＥプールは、第２のＭＭＥプールのバックアップＭＭＥプールである、判定するステップと、ＵＥが第２のＭＭＥプールのカバレッジ内のＵＥであり、且つ、第２のＭＭＥプールが正常な状態にある場合、第１のＭＭＥによって、ＵＥをオフロードするステップとを含む。第１のＭＭＥプールにおけるＭＭＥが、ＭＭＥにアクセスするＵＥが第２のＭＭＥプールからのものであると判定し、第２のＭＭＥプールが正常に戻った場合、ＭＭＥは、第２のＭＭＥプールからのものであるＵＥをオフロードする。このように、ＲＲＣ確立手続きにおいて、ｅＮＢが、第２のＭＭＥプールにおけるＭＭＥをＵＥのためにｅＮＢのポリシーに従って選択し得るように、ＵＥは、もはや第１のＭＭＥプールにおけるＭＭＥに関する情報をＲＲＣ接続要求に付加しない。ＵＥは、第２のＭＭＥプールへ戻ることができ、それによって、ＵＥがバックアップＭＭＥプールからローカルＭＭＥプールへ移行され損なうという問題を解決する。
2016522647.tif 000002
【特許請求の範囲】
【請求項１】
ユーザ機器を管理するための方法であって、
第１のモビリティマネジメントエンティティＭＭＥによって、前記第１のＭＭＥにアクセスするユーザ機器が第２のＭＭＥプールのカバレッジ内のユーザ機器であるかを判定するステップであって、前記第１のＭＭＥは、第１のＭＭＥプールに位置し、前記第１のＭＭＥプールは、前記第２のＭＭＥプールのバックアップＭＭＥプールである、判定するステップと、
前記第１のＭＭＥによって、前記ユーザ機器が前記第２のＭＭＥプールのカバレッジ内のユーザ機器であり、且つ、前記第２のＭＭＥプールが正常な状態にある場合、前記ユーザ機器をオフロードするステップと
を含む、方法。
【請求項２】
第１のＭＭＥによって、前記第１のＭＭＥにアクセスするユーザ機器が第２のＭＭＥプールのカバレッジ内のユーザ機器であるかを前記判定するステップが、
前記ユーザ機器が前記第２のＭＭＥプールのカバレッジ内のユーザ機器であるかを、前記ユーザ機器によって登録されるトラッキングエリア情報に従って判定するステップ
を含む、請求項１に記載の方法。
【請求項３】
第１のＭＭＥによって、前記第１のＭＭＥにアクセスするユーザ機器が第２のＭＭＥプールのカバレッジ内のユーザ機器であるかを前記判定するステップの前に、前記方法が、
基地局によって報告されるトラッキングエリア情報を受信するステップであって、前記ユーザ機器が、前記基地局のカバレッジ内に存在する、受信するステップと、
前記ユーザ機器によって登録され、前記ユーザ機器によって報告される前記トラッキングエリア情報を受信するステップと
をさらに含み、
第１のＭＭＥによって、前記第１のＭＭＥにアクセスするユーザ機器が第２のＭＭＥプールのカバレッジ内のユーザ機器であるかを前記判定するステップが、
前記基地局によって報告される前記トラッキングエリア情報と、前記ユーザ機器によって登録される前記トラッキングエリア情報とが一致するかを判定するステップと、
前記基地局によって報告される前記トラッキングエリア情報と、前記ユーザ機器によって登録される前記トラッキングエリア情報とが一致する場合、前記ユーザ機器は前記第２のＭＭＥプールのカバレッジ内のユーザ機器であると判定するステップと
を含む、請求項２に記載の方法。
【請求項４】
前記ユーザ機器によって登録される前記トラッキングエリア情報が、トラッキングエリアＩＤ  ＴＡＩ又はトラッキングエリアコードＴＡＣである、請求項２又は３に記載の方法。
【請求項５】
前記ユーザ機器が、前記第１のＭＭＥに、前記第２のＭＭＥプールのカバレッジ内の基地局と前記第１のＭＭＥとの間のＳ１リンクを通じてアクセスする場合、加入者ＩＤを前記ユーザ機器に割り当てるステップであって、前記加入者ＩＤは、フラグを含み、前記フラグの値は、既定値である、割り当てるステップ
をさらに含み、
第１のＭＭＥによって、前記第１のＭＭＥにアクセスするユーザ機器が第２のＭＭＥプールのカバレッジ内のユーザ機器であるかを前記判定するステップが、
前記加入者ＩＤにおける前記フラグが既定値であるかを判定するステップと、
前記フラグが前記既定値である場合、前記ユーザ機器が前記第２のＭＭＥプールのカバレッジ内のユーザ機器であると判定するステップと
を含む、請求項１に記載の方法。
【請求項６】
前記ユーザ機器が前記第１のＭＭＥに前記第２のＭＭＥプールのカバレッジ内の基地局と前記第１のＭＭＥとの間のＳ１リンクを通じてアクセスする場合、加入者ＩＤを前記ユーザ機器に割り当てるステップであって、前記加入者ＩＤは、Ｍ−ＴＭＳＩを含み、前記Ｍ−ＴＭＳＩの値は、プリセットの番号セグメント内である、割り当てるステップ
をさらに含み、
第１のＭＭＥによって、前記第１のＭＭＥにアクセスするユーザ機器が第２のＭＭＥプールのカバレッジ内のユーザ機器であるかを前記判定するステップが、
前記加入者ＩＤにおける前記Ｍ−ＴＭＳＩの前記値が前記プリセットの番号セグメント内であるかを判定するステップと、
前記Ｍ−ＴＭＳＩの前記値が前記プリセットの番号セグメント内である場合、前記ユーザ機器は前記第２のＭＭＥプールのカバレッジ内のユーザ機器であると判定するステップと
を含む、請求項１に記載の方法。
【請求項７】
前記第１のＭＭＥによって、前記ユーザ機器を前記オフロードするステップが、
前記第１のＭＭＥによって、ロードリバランシング手続きを開始して、前記ユーザ機器をオフロードするステップ
を含む、請求項１から６のいずれか一項に記載の方法。
【請求項８】
前記第１のＭＭＥによって、前記ユーザ機器を前記オフロードするステップが、
前記第１のＭＭＥによって、デタッチ動作を前記ユーザ機器に対して実行することによって前記ユーザ機器をオフロードするステップ
を含む、請求項１から６のいずれか一項に記載の方法。
【請求項９】
前記第１のＭＭＥによって、前記ユーザ機器を前記オフロードするステップの前に、前記方法が、
前記第２のＭＭＥプールにおける第２のＭＭＥによって送信される通知メッセージを受信するステップであって、前記通知メッセージは、前記第２のＭＭＥプールが前記正常な状態に戻ったことを通知するために使用される、受信するステップ
をさらに含み、
前記第１のＭＭＥによって、前記ユーザ機器を前記オフロードするステップが、
前記ユーザ機器が前記第２のＭＭＥプールのカバレッジ内のユーザ機器であり、且つ、前記第１のＭＭＥが前記通知メッセージを受信する場合、前記第１のＭＭＥによって、前記ユーザ機器をオフロードするステップ
を含む、請求項１から８のいずれか一項に記載の方法。
【請求項１０】
前記第１のＭＭＥによって、前記ユーザ機器を前記オフロードするステップの前に、前記方法が、
前記第１のＭＭＥと第２のＭＭＥとの間のリンクが正常であるかを検出するステップであって、前記第２のＭＭＥは、前記第２のＭＭＥプールに位置する、検出するステップ
をさらに含み、
前記第１のＭＭＥによって、前記ユーザ機器を前記オフロードするステップが、
前記第１のＭＭＥによって、前記ユーザ機器が前記第２のＭＭＥプールのカバレッジ内のユーザ機器であり、且つ、前記第１のＭＭＥと前記第２のＭＭＥとの間の前記リンクが正常であることが検出される場合、前記ユーザ機器をオフロードするステップ
を含む、請求項１から８のいずれか一項に記載の方法。
【請求項１１】
前記第１のＭＭＥによって、前記ユーザ機器を前記オフロードするステップが、
前記ユーザ機器が前記第２のＭＭＥプールのカバレッジ内のユーザ機器であり、且つ、前記第２のＭＭＥプールが前記正常な状態にある場合、既定のネットワーク調整期間内に、前記ユーザ機器をオフロードするステップ
を含む、請求項１から１０のいずれか一項に記載の方法。
【請求項１２】
第１のモビリティマネジメントエンティティＭＭＥに適用される、ユーザ機器を管理するための装置であって、前記第１のＭＭＥは、第１のＭＭＥプールに位置し、前記第１のＭＭＥプールは、第２のＭＭＥプールのバックアップＭＭＥプールであり、前記装置は、
前記第１のＭＭＥにアクセスするユーザ機器が前記第２のＭＭＥプールのカバレッジ内のユーザ機器であるかを判定するように構成された判定ユニットと、
前記ユーザ機器が前記第２のＭＭＥプールのカバレッジ内のユーザ機器であり、且つ、前記第２のＭＭＥプールが正常な状態にある場合、前記ユーザ機器をオフロードするように構成されたオフローディングユニットと
を備える、装置。
【請求項１３】
前記判定ユニットが、前記ユーザ機器が前記第２のＭＭＥプールのカバレッジ内のユーザ機器であるかを、前記ユーザ機器によって登録されるトラッキングエリア情報に従って判定する、請求項１２に記載の装置。
【請求項１４】
基地局によって報告されるトラッキングエリア情報と、前記ユーザ機器によって登録され、前記ユーザ機器によって報告される前記トラッキングエリア情報とを受信するように構成された受信ユニットであって、前記ユーザ機器は、前記基地局のカバレッジ内に存在する、受信ユニット
をさらに備え、
前記判定ユニットが、前記基地局によって報告される前記トラッキングエリア情報と前記ユーザ機器によって登録される前記トラッキングエリア情報とが一致する場合、前記ユーザ機器は前記第２のＭＭＥプールのカバレッジ内のユーザ機器であると判定するように具体的に構成される、請求項１３に記載の装置。
【請求項１５】
前記ユーザ機器によって登録される前記トラッキングエリア情報が、トラッキングエリアＩＤ  ＴＡＩ又はトラッキングエリアコードＴＡＣである、請求項１３又は１４に記載の装置。
【請求項１６】
前記ユーザ機器が、前記第１のＭＭＥに、前記第２のＭＭＥプールのカバレッジ内の基地局と前記第１のＭＭＥとの間のＳ１リンクを通じてアクセスする場合、加入者ＩＤを前記ユーザ機器に割り当てるように構成された割り当てユニットであって、前記加入者ＩＤは、フラグを含み、前記フラグの値は、既定値である、割り当てユニット
をさらに備え、
前記判定ユニットが、前記加入者ＩＤにおける前記フラグが既定値である場合、前記ユーザ機器は前記第２のＭＭＥプールのカバレッジ内のユーザ機器であると判定するように具体的に構成される、請求項１２に記載の装置。
【請求項１７】
前記ユーザ機器が、前記第１のＭＭＥに、前記第２のＭＭＥプールのカバレッジ内の基地局と前記第１のＭＭＥとの間のＳ１リンクを通じてアクセスする場合、加入者ＩＤを前記ユーザ機器に割り当てるように構成された割り当てユニットであって、前記加入者ＩＤは、Ｍ−ＴＭＳＩを含み、前記Ｍ−ＴＭＳＩの値は、プリセットの番号セグメント内である、割り当てユニット
をさらに備え、
前記判定ユニットが、前記加入者ＩＤにおける前記Ｍ−ＴＭＳＩが前記プリセットの番号セグメント内である場合、前記ユーザ機器は前記第２のＭＭＥプールのカバレッジ内のユーザ機器であると判定するように具体的に構成される、請求項１２に記載の装置。
【請求項１８】
前記オフローディングユニットが、ロードリバランシング手続きを使用することによって、前記ユーザ機器をオフロードする、請求項１２から１７のいずれか一項に記載の装置。
【請求項１９】
前記オフローディングユニットが、デタッチ動作を前記ユーザ機器に対して実行することによって、前記ユーザ機器をオフロードする、請求項１２から１７のいずれか一項に記載の装置。
【請求項２０】
前記オフローディングユニットが、前記ユーザ機器が前記第２のＭＭＥプールのカバレッジ内のユーザ機器であり、且つ、前記第１のＭＭＥが通知メッセージを受信する場合、前記ユーザ機器をオフロードするように構成され、前記通知メッセージは、前記第２のＭＭＥプールにおける第２のＭＭＥによって送信され、前記第２のＭＭＥプールが前記正常な状態に戻ったことを通知するために使用される、請求項１２から１９のいずれか一項に記載の装置。
【請求項２１】
前記第１のＭＭＥと第２のＭＭＥとの間のリンクが正常であるかを検出するように構成された検出ユニットであって、前記第２のＭＭＥは、前記第２のＭＭＥプールに位置する、検出ユニット
をさらに備え、
前記オフローディングユニットが、前記ユーザ機器が前記第２のＭＭＥプールのカバレッジ内のユーザ機器であり、且つ、前記検出ユニットが前記第１のＭＭＥと前記第２のＭＭＥとの間の前記リンクが正常であることを検出する場合、前記ユーザ機器をオフロードするように構成される、請求項１２から１９のいずれか一項に記載の装置。
【請求項２２】
コンピュータ読取可能な媒体を備え、前記コンピュータ読取可能な媒体は、プログラムコードのグループを備え、請求項１から１１のいずれか一項に記載の前記方法を実行するように構成される、コンピュータプログラム製品。
【請求項２３】
第１のＭＭＥプールに位置する第１のＭＭＥと、
第２のＭＭＥプールに位置する第２のＭＭＥであって、前記第１のＭＭＥプールは、前記第２のＭＭＥプールのバックアップＭＭＥプールである、第２のＭＭＥと、
前記第２のＭＭＥプールのカバレッジ内に位置する基地局であって、前記第２のＭＭＥプールとの接続を確立するように構成され、障害が前記第２のＭＭＥプールにおいて発生した場合、前記第１のＭＭＥプールとの接続を確立するように構成される、基地局と、
前記第２のＭＭＥプールに前記基地局を通じてアクセスし、障害が前記第２のＭＭＥプールにおいて発生した場合、前記第１のＭＭＥプールに前記基地局を通じてアクセスするように構成されるユーザ機器と、
請求項１２から２１のいずれか一項に記載のユーザ機器を管理するための装置であって、前記第１のＭＭＥにおいて構成される、装置と
を備える、通信システム。
【発明の詳細な説明】
【技術分野】
【０００１】
本発明の実施形態は、通信技術の分野に関し、特に、ユーザ機器を管理するための方法、装置、及びシステムに関する。
【背景技術】
【０００２】
ワイヤレスブロードバンドの課題に対処し、第３世代パートナーシッププロジェクト（Ｔｈｅ  ３ｒｄ  ｇｅｎｅｒａｔｉｏｎ  ｐａｒｔｎｅｒｓｈｉｐ  ｐｒｏｊｅｃｔ，３ＧＰＰ）ネットワークの主要な利点を維持するために、３ＧＰＰは、モバイル通信ネットワークのためのロングタームエボリューション（ｌｏｎｇ  ｔｅｒｍ  ｅｖｏｌｕｔｉｏｎ，ＬＴＥ）スキームを定めている。この進化型スキームのガイダンスの下で、新たなモバイル通信ネットワークアーキテクチャ、つまり、ロングタームエボリューション／システムアーキテクチャエボリューション（Ｌｏｎｇ  Ｔｅｒｍ  Ｅｖｏｌｕｔｉｏｎ  ／Ｓｙｓｔｅｍ  Ａｒｃｈｉｔｅｃｔｕｒｅ  Ｅｖｏｌｕｔｉｏｎ，ＬＴＥ／ＳＡＥ）ネットワークシステムのアーキテクチャが定義されている。
【０００３】
図１は、従来技術におけるＬＴＥ／ＳＡＥネットワークシステムのアーキテクチャ図である。ＬＴＥ／ＳＡＥネットワークシステムは、進化型ノードＢ（ｅｖｏｌｖｅｄ  Ｎｏｄｅ  Ｂ，ｅＮＢ）（進化型基地局とも称される）１０１と、これらの基地局を管理するモビリティマネジメントエンティティ／サービングゲートウェイ（Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ，ＭＭＥ／ＳＧＷ）１０２とを含む。ＭＭＥ／ＳＧＷ１０２とｅＮＢ１０１との間のＳ１リンクは、Ｓ１インターフェースを通じて確立され、ｅＮＢ１０１間のＸ２リンクは、Ｘ２インターフェースを通じて確立される。
【０００４】
具体的には、Ｓ１リンクは、制御プレーン機能とユーザプレーン機能とを含む、無線アクセスネットワークにおける無線リソースにアクセスする機能を提供する。Ｓ１リンクの制御プレーンインターフェース（Ｓ１−ＭＭＥ）は、ｅＮＢとＭＭＥとの間のアプリケーションプロトコルの機能を提供し、アプリケーションプロトコルメッセージを送信するために使用されるシグナリングベアリング機能を提供し、Ｓ１リンクのユーザプレーンインターフェース（Ｓ１−Ｕ）は、ｅＮＢとＳＧＷとの間でユーザプレーンデータを送信する機能を提供する。
【０００５】
ＬＴＥ／ＳＡＥシステムにおいて、１つのｅＮＢは、Ｓ１−ＭＭＥ接続を複数のＭＭＥと確立し得、複数のＭＭＥは、ＭＭＥプール（ＭＭＥ  ｐｏｏｌ）を形成する。ユーザ機器（ｕｓｅｒ  ｅｑｕｉｐｍｅｎｔ，ＵＥ）がｅＮＢからのネットワークにアクセスする場合、ｅＮＢは、ＭＭＥを選択して、ＵＥにサービスを提供し、専用のＳ１−ＭＭＥ接続を確立する。
【０００６】
ネットワーク信頼性を改善するために、異なる地理的ロケーションにおけるＭＭＥプールは、互いに冗長性を提供し得る。そのため、相互バックアップを提供するＭＭＥプール内のｅＮＢは、ローカルＭＭＥプールに接続し得、バックアップＭＭＥプールにも接続し得る。例えば、図２に示されるネットワーキングにおいて、ｅＮＢ２１０は、ＭＭＥプール２２０に接続し、ＭＭＥプール２３０にも接続し得る。ｅＮＢ２１０のカバレッジ内のＵＥにとって、ＭＭＥプール２２０は、ローカルＭＭＥプール（ｌｏｃａｌ  ＭＭＥ  ｐｏｏｌ）であり、ＭＭＥプール２３０は、バックアップＭＭＥプール（ｒｅｄｕｎｄａｎｃｙ  ＭＭＥ  ｐｏｏｌ又はｂａｃｋｕｐ  ＭＭＥ  ｐｏｏｌ）である。障害が、ＵＥによってアクセスされるローカルＭＭＥプール２２０において発生した場合、ローカルＭＭＥプール２２０のカバレッジ内のｅＮＢ２１０は、Ｓ１−ＭＭＥ接続をバックアップＭＭＥプール２３０と確立し、ローカルＭＭＥプール２２０のカバレッジ内のＵＥは、バックアップＭＭＥプール２３０へ移行される。
【０００７】
エリアベースのＭＭＥ管理ポリシーに基づいて、ローカルＭＭＥプール２２０が回復された場合、以前にバックアップＭＭＥプール２３０へ移行されたＵＥは、元のローカルＭＭＥプール２２０へ移行される必要がある。しかしながら、現在のところ、ＵＥがバックアップＭＭＥプールから元のローカルＭＭＥプールへ移行される場合、ＵＥ移行障害の問題に直面する。
【発明の概要】
【０００８】
このことに鑑みて、本発明の実施形態は、ユーザ機器を管理するための方法、装置、及びシステムを提供して、ユーザ機器がバックアップＭＭＥプールからローカルＭＭＥプールへ移行され損なうという問題に対処する。
【０００９】
第１の態様によれば、第１のモビリティマネジメントエンティティＭＭＥによって、第１のＭＭＥにアクセスするユーザ機器が第２のＭＭＥプールのカバレッジ内のユーザ機器であるかを判定するステップであって、第１のＭＭＥは、第１のＭＭＥプールに位置し、第１のＭＭＥプールは、第２のＭＭＥプールのバックアップＭＭＥプールである、判定するステップと、第１のＭＭＥによって、ユーザ機器が第２のＭＭＥプールのカバレッジ内のユーザ機器であり、且つ、第２のＭＭＥプールが正常な状態にある場合、ユーザ機器をオフロードするステップとを含む、ユーザ機器を管理するための方法が提供される。
【００１０】
第１の態様の第１の取り得る実装において、第１のＭＭＥによって、第１のＭＭＥにアクセスするユーザ機器が第２のＭＭＥプールのカバレッジ内のユーザ機器であるかを判定するステップは、ユーザ機器によって登録されるトラッキングエリア情報に従って、ユーザ機器が第２のＭＭＥプールのカバレッジ内のユーザ機器であるかを判定するステップを含む。
【００１１】
第１の態様の第１の取り得る実装に関連して、第１の態様の第２の取り得る実装において、第１のＭＭＥによって、第１のＭＭＥにアクセスするユーザ機器が第２のＭＭＥプールのカバレッジ内のユーザ機器であるかを判定するステップの前に、本方法は、基地局によって報告されるトラッキングエリア情報を受信するステップであって、ユーザ機器が、基地局のカバレッジ内に存在する、受信するステップと、ユーザ機器によって登録され、ユーザ機器によって報告されるトラッキングエリア情報を受信するステップとをさらに含み、第１のＭＭＥによって、第１のＭＭＥにアクセスするユーザ機器が第２のＭＭＥプールのカバレッジ内のユーザ機器であるかを判定するステップが、基地局によって報告されるトラッキングエリア情報と、ユーザ機器によって登録されるトラッキングエリア情報とが一致するかを判定するステップと、基地局によって報告されるトラッキングエリア情報と、ユーザ機器によって登録されるトラッキングエリア情報とが一致する場合、ユーザ機器は第２のＭＭＥプールのカバレッジ内のユーザ機器であると判定するステップとを含む。
【００１２】
第１の態様の第１又は第２の取り得る実装に関連して、第１の態様の第３の取り得る実装において、ユーザ機器によって登録される前記トラッキングエリア情報は、トラッキングエリアＩＤ  ＴＡＩ又はトラッキングエリアコードＴＡＣである。
【００１３】
第１の態様に関連して、第１の態様の第４の取り得る実装において、本方法は、ユーザ機器が、第１のＭＭＥに、第２のＭＭＥプールのカバレッジ内の基地局と第１のＭＭＥとの間のＳ１リンクを通じてアクセスする場合、加入者ＩＤをユーザ機器に割り当てるステップであって、加入者ＩＤは、フラグを含み、フラグの値は、既定値である、割り当てるステップをさらに含み、第１のＭＭＥによって、第１のＭＭＥにアクセスするユーザ機器が第２のＭＭＥプールのカバレッジ内のユーザ機器であるかを判定するステップが、加入者ＩＤにおけるフラグが既定値であるかを判定するステップと、フラグが既定値である場合、ユーザ機器が第２のＭＭＥプールのカバレッジ内のユーザ機器であると判定するステップとを含む。
【００１４】
第１の態様に関連して、第１の態様の第５の取り得る実装において、本方法は、ユーザ機器が第１のＭＭＥに第２のＭＭＥプールのカバレッジ内の基地局と第１のＭＭＥとの間のＳ１リンクを通じてアクセスする場合、加入者ＩＤをユーザ機器に割り当てるステップであって、加入者ＩＤは、Ｍ−ＴＭＳＩを含み、Ｍ−ＴＭＳＩの値は、プリセットの番号セグメント（ｐｒｅｓｅｔ  ｎｕｍｂｅｒ  ｓｅｇｍｅｎｔ）内である、割り当てるステップをさらに含み、第１のＭＭＥによって、第１のＭＭＥにアクセスするユーザ機器が第２のＭＭＥプールのカバレッジ内のユーザ機器であるかを判定するステップが、加入者ＩＤにおけるＭ−ＴＭＳＩの値がプリセットの番号セグメント内であるかを判定するステップと、Ｍ−ＴＭＳＩの値がプリセットの番号セグメント内である場合、ユーザ機器は第２のＭＭＥプールのカバレッジ内のユーザ機器であると判定するステップとを含む。
【００１５】
第１の態様又は第１の態様の第１から第５の取り得る実装のうちの１つに関連して、第１の態様の第６の取り得る実装において、第１のＭＭＥによって、ユーザ機器をオフロードするステップは、第１のＭＭＥによって、ロードリバランシング手続きを開始して、ユーザ機器をオフロードするステップを含む。
【００１６】
第１の態様又は第１の態様の第１から第５の取り得る実装のうちの１つに関連して、第１の態様の第７の取り得る実装において、第１のＭＭＥによって、ユーザ機器をオフロードするステップは、第１のＭＭＥによって、デタッチ動作をユーザ機器に対して実行することによってユーザ機器をオフロードするステップを含む。
【００１７】
第１の態様又は第１から第７の取り得る実装のうちの１つに関連して、第１の態様の第８の取り得る実装において、第１のＭＭＥによって、ユーザ機器をオフロードするステップの前に、本方法は、第２のＭＭＥプールにおける第２のＭＭＥによって送信される通知メッセージを受信するステップであって、通知メッセージは、第２のＭＭＥプールが正常な状態に戻ったことを通知するために使用される、受信するステップをさらに含み、第１のＭＭＥによって、ユーザ機器をオフロードするステップが、第１のＭＭＥによって、ユーザ機器が第２のＭＭＥプールのカバレッジ内のユーザ機器であり、且つ、第１のＭＭＥが通知メッセージを受信する場合、ユーザ機器をオフロードするステップを含む。
【００１８】
第１の態様又は第１の態様の第１から第７の取り得る実装のうちの１つに関連して、第１の態様の第９の取り得る実装において、第１のＭＭＥによって、ユーザ機器をオフロードするステップの前に、本方法は、第１のＭＭＥと第２のＭＭＥとの間のリンクが正常であるかを検出するステップであって、第２のＭＭＥは、第２のＭＭＥプールに位置する、検出するステップをさらに含み、第１のＭＭＥによって、ユーザ機器をオフロードするステップが、第１のＭＭＥによって、ユーザ機器が第２のＭＭＥプールのカバレッジ内のユーザ機器であり、且つ、第１のＭＭＥと第２のＭＭＥとの間のリンクが正常であることが検出される場合、ユーザ機器をオフロードするステップを含む。
【００１９】
第１の態様又は第１の態様の第１から第９の取り得る実装のうちの１つに関連して、第１の態様の第１０の取り得る実装において、第１のＭＭＥによって、ユーザ機器をオフロードするステップは、ユーザ機器が第２のＭＭＥプールのカバレッジ内のユーザ機器であり、且つ、第２のＭＭＥプールが正常な状態にある場合、既定のネットワーク調整期間内に、ユーザ機器をオフロードするステップを含む。
【００２０】
第２の態様によれば、ユーザ機器を管理するための装置が提供され、第１のモビリティマネジメントエンティティＭＭＥに適用される。ここで、第１のＭＭＥは、第１のＭＭＥプールに位置し、第１のＭＭＥプールは、第２のＭＭＥプールのバックアップＭＭＥプールである。本装置は、第１のＭＭＥにアクセスするユーザ機器が第２のＭＭＥプールのカバレッジ内のユーザ機器であるかを判定するように構成された判定ユニットと、ユーザ機器が第２のＭＭＥプールのカバレッジ内のユーザ機器であり、且つ、第２のＭＭＥプールが正常な状態にある場合、ユーザ機器をオフロードするように構成されたオフローディングユニットとを含む。
【００２１】
第２の態様の第１の取り得る実装において、判定ユニットは、ユーザ機器によって登録されるトラッキングエリア情報に従って、ユーザ機器が第２のＭＭＥプールのカバレッジ内のユーザ機器であるかを判定する。
【００２２】
第２の態様の第１の取り得る実装に関連して、第２の態様の第２の取り得る実装において、本装置は、基地局によって報告されるトラッキングエリア情報と、ユーザ機器によって登録され、ユーザ機器によって報告されるトラッキングエリア情報とを受信するように構成された受信ユニットであって、ユーザ機器は、基地局のカバレッジ内に存在する、受信ユニットをさらに含み、判定ユニットが、基地局によって報告されるトラッキングエリア情報とユーザ機器によって登録されるトラッキングエリア情報とが一致する場合、ユーザ機器は第２のＭＭＥプールのカバレッジ内のユーザ機器であると判定するように具体的に構成される。
【００２３】
第２の態様の第１又は第２の取り得る実装に関連して、第２の態様の第３の取り得る実装において、ユーザ機器によって登録されるトラッキングエリア情報は、トラッキングエリアＩＤ  ＴＡＩ又はトラッキングエリアコードＴＡＣである。
【００２４】
第２の態様に関連して、第２の態様の第４の取り得る実装において、本装置は、ユーザ機器が第１のＭＭＥに第２のＭＭＥプールのカバレッジ内の基地局と第１のＭＭＥとの間のＳ１リンクを通じてアクセスする場合、加入者ＩＤをユーザ機器に割り当てるように構成された割り当てユニットであって、加入者ＩＤは、フラグを含み、フラグの値は、既定値である、割り当てユニットをさらに含み、判定ユニットが、加入者ＩＤにおけるフラグが既定値である場合、ユーザ機器は第２のＭＭＥプールのカバレッジ内のユーザ機器であると判定するように具体的に構成される。
【００２５】
第２の態様に関連して、第２の態様の第５の取り得る実装において、本装置は、ユーザ機器が第１のＭＭＥに第２のＭＭＥプールのカバレッジ内の基地局と第１のＭＭＥとの間のＳ１リンクを通じてアクセスする場合、加入者ＩＤをユーザ機器に割り当てるように構成された割り当てユニットであって、加入者ＩＤは、Ｍ−ＴＭＳＩを含み、Ｍ−ＴＭＳＩの値は、プリセットの番号セグメント内である、割り当てユニットをさらに含み、判定ユニットが、加入者ＩＤにおけるＭ−ＴＭＳＩがプリセットの番号セグメント内である場合、ユーザ機器は第２のＭＭＥプールのカバレッジ内のユーザ機器であると判定するように具体的に構成される。
【００２６】
第２の態様又は第２の態様の第１から第５の取り得る実装のうちの１つに関連して、第２の態様の第６の取り得る実装において、オフローディングユニットは、ロードリバランシング手続きを使用することによって、ユーザ機器をオフロードする。
【００２７】
第２の態様又は第２の態様の第１から第５の取り得る実装のうちの１つに関連して、第２の態様の第７の取り得る実装において、オフローディングユニットは、デタッチ動作をユーザ機器に対して実行することによって、ユーザ機器をオフロードする。
【００２８】
第２の態様又は第２の態様の第１から第７の取り得る実装のうちの１つに関連して、第２の態様の第８の取り得る実装において、オフローディングユニットは、ユーザ機器が第２のＭＭＥプールのカバレッジ内のユーザ機器であり、且つ、第１のＭＭＥが通知メッセージを受信する場合、ユーザ機器をオフロードするように構成され、通知メッセージは、第２のＭＭＥプールにおける第２のＭＭＥによって送信され、第２のＭＭＥプールが正常な状態に戻ったことを通知するために使用される。
【００２９】
第２の態様又は第２の態様の第１から第７の取り得る実装のうちの１つに関連して、第２の態様の第９の取り得る実装において、本装置は、第１のＭＭＥと第２のＭＭＥとの間のリンクが正常であるかを検出するように構成された検出ユニットであって、第２のＭＭＥは、第２のＭＭＥプールに位置する、検出ユニットをさらに含み、オフローディングユニットが、ユーザ機器が第２のＭＭＥプールのカバレッジ内のユーザ機器であり、且つ、検出ユニットが第１のＭＭＥと第２のＭＭＥとの間のリンクが正常であることを検出する場合、ユーザ機器をオフロードするように構成される。
【００３０】
第３の態様によれば、コンピュータ読取可能な媒体を含み、前記コンピュータ読取可能な媒体は、第１の態様又は第１の態様の実装のうちのいずれか１つに係る方法を実行するために使用されるプログラムコードのグループを含む、コンピュータプログラム製品が提供される。
【００３１】
第４の態様によれば、第１のＭＭＥプールに位置する第１のＭＭＥと、第２のＭＭＥプールに位置する第２のＭＭＥであって、前記第１のＭＭＥプールは、前記第２のＭＭＥプールのバックアップＭＭＥプールである、第２のＭＭＥと、前記第２のＭＭＥプールのカバレッジ内に位置する基地局であって、前記第２のＭＭＥプールとの接続を確立するように構成され、障害が前記第２のＭＭＥプールにおいて発生した場合、前記第１のＭＭＥプールとの接続を確立するように構成される、基地局と、前記第２のＭＭＥプールに前記基地局を通じてアクセスし、障害が前記第２のＭＭＥプールにおいて発生した場合、前記第１のＭＭＥプールに前記基地局を通じてアクセスするように構成されるユーザ機器と、第２の態様又は第２の態様の実装のうちのいずれか１つに係るユーザ機器を管理するための装置であって、前記第１のＭＭＥにおいて提供される、装置とを含む、通信システムが提供される。
【００３２】
前述の方法、装置、及びシステムにおいては、第１のＭＭＥプールが、第２のＭＭＥプールのバックアップＭＭＥプールであり、第２のＭＭＥプールにおいて障害が発生した場合、第２のＭＭＥプールのカバレッジ内のＵＥが、第１のＭＭＥプールにアクセスすることが分かる。第１のＭＭＥプールにおけるＭＭＥは、前述の方法を使用して、このＭＭＥにアクセスするＵＥが第２のＭＭＥプールからのものであるかを判定し、第２のＭＭＥプールが正常に戻った場合に、第２のＭＭＥプールからのものであるＵＥをオフロードし得る。このように、ＲＲＣ確立手続きにおいて、ｅＮＢが、第２のＭＭＥプールにおけるＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ＵＥがバックアップＭＭＥプールからローカルＭＭＥプールへ移行され損ねるという問題を解決することが分かる。
【００３３】
本発明の実施形態における技術的解決策をより明確に説明するために、下記は、実施形態を説明するために必要とされる添付の図面を簡単に紹介する。明らかに、下記の説明における添付の図面は、本発明の幾つかの実施形態を示しており、当業者は、創作的努力なしに、これらの添付の図面から他の図面を導き出し得る。
【図面の簡単な説明】
【００３４】
【図１】従来技術におけるＬＴＥ／ＳＡＥネットワークシステムのアーキテクチャ図である。
【図２】本発明の実施形態に係る通信システムの概略図である。
【図３】本発明の実施形態１に係る、ＵＥを管理するための方法のフローチャートである。
【図４】本発明の実施形態２に係る、ＵＥを管理するための方法のフローチャートである。
【図５】本発明の実施形態３に係る、ＵＥを管理するための方法の適用シナリオを例示する概略図である。
【図６】本発明の実施形態３に係る、ＵＥを管理するための方法の信号フローの図である。
【図７】本発明の実施形態６に係る、ＵＥを管理するための方法のフローチャートである。
【図８】本発明の実施形態７に係る、ＵＥを管理するための方法のフローチャートである。
【図９】本発明の実施形態８に係る、ＵＥを管理するための方法のフローチャートである。
【図１０】本発明の実施形態９に係る、ＵＥを管理するための方法のフローチャートである。
【図１１】本発明の実施形態１０に係る、ＵＥを管理するための装置の概略構造図である。
【図１２】本発明の実施形態１０に係る、ＵＥを管理するための別の装置の概略構造図である。
【図１３】本発明の実施形態１０に係る、ＵＥを管理するためのさらに別の装置の概略構造図である。
【図１４】本発明の実施形態１０に係る、ＵＥを管理するためのさらに別の装置の概略構造図である。
【図１５】本発明の実施形態１１に係るＭＭＥの概略構造図である。
【図１６】本発明の実施形態１１に係る別のＭＭＥの概略構造図である。
【発明を実施するための形態】
【００３５】
本発明の実施形態の課題、技術的解決策、及び利点をより明確にするために、下記は、本発明の実施形態における技術的解決策を、本発明の実施形態において添付の図面を参照しつつ、明確且つ完全に説明する。明らかに、説明される実施形態は、本発明の全部というよりもむしろ一部である。当業者によって、創作的努力なしに本発明の実施形態に基づいて得られる全ての他の実施形態は、本発明の保護範囲内に収まるべきものである。
【００３６】
現在のところ、障害がローカルＭＭＥプールにおいて発生した場合、ローカルＭＭＥプールのカバレッジ内のｅＮＢは、バックアップＭＭＥプールにおけるＭＭＥをポリシーに従って選択し、Ｓ１−ＭＭＥ接続を確立する。選択されたＭＭＥは、ＳＡＥ一時モバイル加入者ＩＤ（ＳＡＥ−ｔｅｍｐｏｒａｒｙ  ｍｏｂｉｌｅ  ｓｕｂｓｃｒｉｂｅｒ  ｉｄｅｎｔｉｔｙ，Ｓ−ＴＭＳＩ）又はグローバル一意一時ＩＤ（ｇｌｏｂａｌｌｙ  ｕｎｉｑｕｅ  ｔｅｍｐｏｒａｒｙ  ｉｄｅｎｔｉｔｙ，ＧＵＴＩ）をＵＥに割り当て、ここで、Ｓ−ＴＭＳＩ又はＧＵＴＩは、ＭＭＥに関する情報を含む。例えば、Ｓ−ＴＭＳＩは、ＭＭＥコード（ＭＭＥ  ｃｏｄｅ，ＭＭＥＣ）を含み、ＧＵＴＩは、グローバル一意ＭＭＥ  ＩＤ（ｇｌｏｂａｌｌｙ  ｕｎｉｑｕｅ  ＭＭＥ  ｉｄｅｎｔｉｔｙ，ＧＵＭＭＥＩ）を含む。ＵＥが無線リソース制御（ｒａｄｉｏ  ｒｅｓｏｕｒｃｅ  ｃｏｎｔｒｏｌ，ＲＲＣ）接続要求を開始するたびに、ＵＥは、ＭＭＥに関する情報（ＭＭＥＣ又はＧＵＭＭＥＩ）をこの要求に付加し、ｅＮＢは、ＭＭＥに関する付加された情報に従って、対応するＭＭＥをサービングＭＭＥと判定する。そのため、ＵＥによって登録されるトラッキングエリア（ｔｒａｃｋｉｎｇ  ａｒｅａ，ＴＡ）が変化しない限り、ＵＥがＲＲＣ接続を開始するたびに、ｅＮＢは、バックアップＭＭＥプールにおける前述の選択されたＭＭＥをサービングＭＭＥとして選択する。このように、ＵＥは、ローカルＭＭＥプールへ戻ることができず、それによって、ＵＥ移行障害を引き起こす。
【００３７】
前述の問題を考慮すると、下記の実施形態は、バックアップＭＭＥプールにおけるＭＭＥが、ローカルＭＭＥプールから移行されたＵＥを認識することを可能にする。また、ＭＭＥが、ローカルＭＭＥプールが正常に戻ったことを検出すると、ＭＭＥは、ＵＥをオフロードする。このように、ＵＥが元のローカルＭＭＥプールへ移行されることができるように、ｅＮＢは、ローカルＭＭＥプールにおけるＭＭＥをＵＥのためにポリシーに従って選択する。
【００３８】
下記の説明において、バックアップＭＭＥプールにおけるＭＭＥは、バックアップＭＭＥと称され、ローカルＭＭＥプールにおけるＭＭＥは、ローカルＭＭＥと称される。
【００３９】
留意すべき点は、バックアップＭＭＥプール及びローカルＭＭＥプールが、一般に、一定の距離によって地理的に分離される点である。この場合において、バックアップＭＭＥプールは、遠隔ＭＭＥプール（ｒｅｍｏｔｅ  ＭＭＥ  ｐｏｏｌ）とも称され、対応するバックアップＭＭＥは、遠隔ＭＭＥ（ｒｅｍｏｔｅ  ＭＭＥ）とも称される。
【００４０】
さらに、ローカルＭＭＥプール及びバックアップＭＭＥプールの機能は、互換性があり、ローカルＭＭＥ及びバックアップＭＭＥの機能も、互換性がある。異なるＭＭＥプールのカバレッジ内のＵＥの場合、それらのローカルＭＭＥプールとバックアップＭＭＥプールとは異なる。例えば、図２において、ｅＮＢ２１０のカバレッジ内のＵＥの場合、ローカルＭＭＥプールは、ＭＭＥプール２２０であり、バックアップＭＭＥプールは、ＭＭＥプール２３０である。また、ｅＮＢ２４０のカバレッジ内のＵＥの場合、ローカルＭＭＥプールは、ＭＭＥプール２３０であり、バックアップＭＭＥプールは、ＭＭＥプール２２０である。前記は、ＭＭＥプールが互いにバックアップを提供する場合を説明する。ただし、本発明の実施形態は、この場合に限定されることを意図されない。ＭＭＥプール２３０が、ＭＭＥプール２２０のバックアップとなってもよいし、別のＭＭＥプールが、ＭＭＥプール２３０のバックアップとなってもよい。
【００４１】
また、ＭＭＥプールは、１つのＭＭＥのみを含み得る。例えば、図２におけるＭＭＥプールの各々が１つのＭＭＥのみを含み、２つのＭＭＥが相互バックアップを提供し得、又は一方のＭＭＥが他方のＭＭＥのバックアップとなる場合が存在し得る。
【００４２】
留意すべき点は、この適用例の実施形態において、障害がＭＭＥプールにおいて発生した場合、それは、ＭＭＥプールにおける全てのＭＭＥがＭＭＥプールのカバレッジ内のＵＥに対してサービスを提供することができないということを意味し、ＭＭＥプールが正常に戻った場合又は正常な状態にある場合、それは、ＭＭＥプールにおける少なくとも１つのＭＭＥがＭＭＥプールのカバレッジ内のＵＥに対してサービスを提供することができるということを意味する点である。
【００４３】
図３は、本発明の実施形態１に係る、ＵＥを管理するための方法のフローチャートである。図３に示されるように、本方法は、下記のステップを含む。
【００４４】
Ｓ３０１：第１のＭＭＥは、第１のＭＭＥにアクセスするＵＥが第２のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００４５】
Ｓ３０２：ＵＥが、第２のＭＭＥプールのカバレッジ内のＵＥであり、且つ、第２のＭＭＥプールが、正常な状態にある場合、第１のＭＭＥは、ＵＥをオフロードする。
【００４６】
第１のＭＭＥプールは、第２のＭＭＥプールのバックアップＭＭＥプールであり、障害が第２のＭＭＥプールにおいて発生した場合、第２のＭＭＥプールのカバレッジ内のＵＥは、第１のＭＭＥプールにアクセスすることが分かる。第１のＭＭＥプールにおけるＭＭＥは、前述の方法を使用して、ＭＭＥにアクセスするＵＥが第２のＭＭＥプールからのものであるかを判定し、第２のＭＭＥプールが正常に戻った場合、第２のＭＭＥプールからのものであるＵＥをオフロードする。このように、ＲＲＣ確立手続きにおいて、ｅＮＢが第２のＭＭＥプールにおけるＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ＵＥがバックアップＭＭＥプールからローカルＭＭＥプールへ移行され損なうという問題を解決することが分かる。
【００４７】
留意すべき点は、この実施形態及び下記の実施形態におけるオフローディング（ｏｆｆ−ｌｏａｄ）が、Ｓ１接続及びＭＭＥとＵＥとの間のＲＲＣ接続を開放することを指す点である。また、第２のＭＭＥプールが正常に戻った場合、第１のＭＭＥは、第２のＭＭＥプールのカバレッジ内のＵＥを直ちにオフロードし得、又はネットワーク調整期間を設定し、その期間内にＵＥをオフロードし得る。ネットワーク調整期間は、比較的軽いトラフィックを有する期間、例えば、夜の１２時以降であってもよく、良好なユーザ経験を確保するために、異なるエリアに基づいて具体的に設定され得る。この実施形態において、前述のステップＳ３０２は、ネットワーク調整期間内に実行される。下記の全ての実施形態におけるオフローディング手続きは、ネットワーク調整期間内に実行されてもよく、このことは繰り返し説明されないであろう。
【００４８】
また、ｅＮＢがＭＭＥをＵＥのために選択するポリシーは、優先度、ネットワークトポロジ等に基づくＭＭＥ選択スキームであってもよく、このことは当業者には明らかであり、詳細は、ここでは繰り返し説明されない。
【００４９】
図４は、本発明の実施形態２に係る、ＵＥを管理するための方法のフローチャートである。図４に示されるように、本方法は、下記のステップを含む。
【００５０】
Ｓ４０１：第１のＭＭＥは、第１のＭＭＥにアクセスするＵＥが第１のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００５１】
Ｓ４０２：ＵＥが、第１のＭＭＥプールのカバレッジ内のＵＥではなく、且つ、第２のＭＭＥプールが、正常な状態にある場合、第１のＭＭＥは、ＵＥをオフロードする。
【００５２】
前述の方法は、第１のＭＭＥプールが１つの第２のＭＭＥプールのみにバックアップを提供する（つまり、任意の他のＭＭＥプールにバックアップを提供しない）場合に適用可能である。この場合において、ＵＥが、第１のＭＭＥプールのカバレッジ内のＵＥではない場合、ＵＥは、第２のＭＭＥプールのカバレッジ内のＵＥである。そのため、第２のＭＭＥプールが正常に動作する場合、第１のＭＭＥプールのカバレッジ内に存在しないＵＥは、オフロードされる。
【００５３】
さらに、前述の方法は、第１のＭＭＥプールが複数のＭＭＥプールにバックアップを提供する、つまり、複数の第２のＭＭＥプールが存在する場合にも適用可能である。この場合において、全ての第２のＭＭＥプールが正常に動作する場合、第１のＭＭＥプールにおけるＭＭＥは、第１のＭＭＥプールのカバレッジ内に存在しないＵＥをオフロードする。
【００５４】
この実施形態における第１のＭＭＥプールにおけるＭＭＥは、前述の方法を使用して、ＭＭＥにアクセスするＵＥが第１のＭＭＥプールのカバレッジ内のＵＥであるかを判定し得、第２のＭＭＥプールが正常に戻った場合、第１のＭＭＥプールのカバレッジ内に存在しないＵＥは、オフロードされることが分かる。このように、ＲＲＣ確立手続きにおいて、ｅＮＢが第２のＭＭＥプールにおける対応するＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ユーザ機器がバックアップＭＭＥプールからローカルＭＭＥプールへ移行され損なうという問題を解決する。
【００５５】
前述の実施形態において、第１のＭＭＥは、第１のＭＭＥにアクセスするＵＥがローカルＵＥ（つまり、第１のＭＭＥプールのカバレッジ内のＵＥ）又は遠隔の移行されたＵＥ（つまり、第２のＭＭＥプールのカバレッジ内のＵＥ）であるかを、ＵＥによって登録されるＴＡ情報に従って、又はＵＥに割り当てられたＩＤに付加されるフラグに従って、又はＩＤを割り当てられたＵＥがローカルＵＥ若しくは遠隔の移行されたＵＥであるかに応じて変化するＩＤコンテンツに従って、区別し得る。下記は、詳細な説明を、具体例を使用することによって与える。
（実施例３）
【００５６】
この実施形態においては、ＵＥによって登録されるＴＡ情報が使用されて、第１のＭＭＥにアクセスするＵＥがローカルＵＥ又は遠隔の移行されたＵＥであるかが区別される。
【００５７】
この場合においては、第１のＭＭＥが、第１のＭＭＥにアクセスするＵＥが第２のＭＭＥプールのカバレッジ内のＵＥであるかを判定する前述のステップＳ３０１は、ＵＥが第２のＭＭＥプールのカバレッジ内のＵＥであるかを、ＵＥによって登録されるＴＡ情報に従って判定するステップを含む。
【００５８】
具体的には、ＵＥは、ＵＥによって登録されるＴＡ情報を、第１のＭＭＥへ、Ｓ１インターフェースメッセージを使用することによって報告し得る。例えば、アタッチ手続きにおいて、ＵＥは、ＵＥによって登録されるＴＡ情報を、第１のＭＭＥへ、アタッチ要求（ａｔｔａｃｈ  ｒｅｑｕｅｓｔ）メッセージを使用することによって報告する。また、ｅＮＢが、Ｓ１−ＭＭＥ接続を第１のＭＭＥと確立する場合、ｅＮＢは、ｅＮＢが位置するＴＡに関する情報を第１のＭＭＥへ報告し得る。例えば、ｅＮＢは、ＴＡ情報を、第１のＭＭＥへ、Ｓ１アプリケーションプロトコル（Ｓ１  Ａｐｐｌｉｃａｔｉｏｎ  Ｐｒｏｔｏｃｏｌ，Ｓ１ＡＰ）メッセージをＳ１ハンドオーバ手続きにおいて使用することによって報告し得る。このように、第１のＭＭＥは、ＵＥによって報告されるＴＡ情報とｅＮＢによって報告されるＴＡ情報とを比較し、どのＳ１リンクからＵＥがハンドオーバされるかを判定し、それによって、ＵＥが第２のＭＭＥプールのカバレッジ内のＵＥであるかを判定し得る。
【００５９】
留意すべき点は、ＵＥがアタッチ（ａｔｔａｃｈ）手続きに加えてトラッキングエリア更新（ｔｒａｃｋｉｎｇ  ａｒｅａ  ｕｐｄａｔｅ，ＴＡＵ）などの手続きを使用することによってＴＡ情報を報告し得る点であるが、これに対して、本発明の実施形態は、いかなる限定も課さない。また、本発明のこの実施形態は、ＴＡ情報をｅＮＢによって報告するプロセスに対しても、いかなる限定も課さない。
【００６０】
トラッキングエリア情報（ＵＥによって登録されるＴＡ情報と、基地局によって報告されるＴＡ情報とを含む）は、トラッキングエリアＩＤ（ｔｒａｃｋｉｎｇ  ａｒｅａ  ｉｄｅｎｔｉｔｙ，ＴＡＩ）又はトラッキングエリアコード（ｔｒａｃｋｉｎｇ  ａｒｅａ  ｃｏｅｄ，ＴＡＣ）であり得る。
【００６１】
図５は、本発明の実施形態３に係る、ＵＥを管理するための方法の適用シナリオを例示する概略図である。図５に示されるように、第２のＭＭＥプール５２０のためのバックアップを提供する第１のＭＭＥプール５１０と、第２のＭＭＥプール５２０とは、一定の距離によって地理的に分離されている。トラッキングエリアＴＡ３は、第１のＭＭＥプール５１０のカバレッジ５１１内に存在し、基地局ｅＮＢ５及びｅＮＢ６は、トラッキングエリアＴＡ３に配置されている。トラッキングエリアＴＡ１及びＴＡ２は、第２のＭＭＥプール５２０のカバレッジ５２１内に存在し、基地局ｅＮＢ１及びｅＮＢ２は、トラッキングエリアＴＡ１に配置され、基地局ｅＮＢ３及びｅＮＢ４は、トラッキングエリアＴＡ２に配置されている。第１のＭＭＥプール５１０と第２のＭＭＥプール５２０とは地理的に分離されているため、第１のＭＭＥプール５１０のトラッキングエリアＴＡ３は、第２のＭＭＥプール５２０のトラッキングエリアＴＡ１及びＴＡ２とは異なる。そのため、ＵＥは、トラッキングエリア情報に従って区別され得る。
【００６２】
図５と図６に示される信号フローとを参照しつつ、下記は、この実施形態においてＵＥを管理するための方法を詳細に説明する。
【００６３】
例えば、第２のＭＭＥプールのカバレッジ５２１内のＵＥ５３０は、トラッキングエリアＴＡ１に登録し、第２のＭＭＥプール５２０に基地局ｅＮＢ２を通じてアクセスする。障害が第２のＭＭＥプール５２０において発生した場合、基地局ｅＮＢ２は、第１のＭＭＥプール５１０におけるＭＭＥを、基地局ｅＮＢ２のポリシーに従って、例えば、選択されるべきＭＭＥが前述の第１のＭＭＥであるというポリシーに従って選択し、Ｓ１−ＭＭＥ接続を第１のＭＭＥ（Ｓ６１０）と確立する。Ｓ１−ＭＭＥ接続確立手続きにおいて、ｅＮＢは、ｅＮＢ２が位置するＴＡ１に関するＴＡ情報（ＴＡＩがここでは例として使用される）を第１のＭＭＥへ報告する。次いで、ＵＥ５３０が第１のＭＭＥにアクセスすると、ＵＥ５３０は、Ｓ１インターフェースメッセージを使用することによって、ＵＥ５３０によって登録されるＴＡのＴＡＩを報告し（Ｓ６２０）、第１のＭＭＥは、Ｓ−ＴＭＳＩ又はＧＵＴＩなどのＵＥ  ＩＤをＵＥ５３０に割り当てる（Ｓ６３０）。ここで、割り当てられたＵＥ  ＩＤは、ＭＭＥＣ又はＧＵＭＭＥＩなどの、第１のＭＭＥに関する情報を含む。アタッチ手続きを例として使用すると、ステップＳ６２０は、アタッチ要求（ａｔｔａｃｈ  ｒｅｑｕｅｓｔ）メッセージを送信するプロセスであり、ここで、アタッチ要求メッセージは、ＴＡＩを伝達する。ステップＳ６３０は、アタッチ承認（ａｔｔａｃｈ  ａｃｃｅｐｔ）メッセージを送信するプロセスであり、ここで、アタッチ承認メッセージは、Ｓ−ＴＭＳＩ又はＧＵＴＩを伝達する。
【００６４】
第２のＭＭＥプール５２０が正常に戻ると、第１のＭＭＥプール５１０のＴＡと第２のＭＭＥプール５２０のＴＡとは異なるため、第１のＭＭＥは、ＵＥ５３０によって報告されるＴＡＩに従って、第１のＭＭＥプール５１０から移行されたＵＥ５３０を認識し（Ｓ６４０）、ＵＥ５３０をオフロードする（Ｓ６５０）。Ｓ１及びＲＲＣ接続が解放された後、オフロードされたＵＥ５３０は、ＲＲＣ接続確立要求を開始する（Ｓ６６０）。この場合には、ＲＲＣ確立手続きにおいて、ＵＥ５３０は、もはやＭＭＥＣ又はＧＵＭＭＥＩ情報をＲＲＣ接続要求に付加せず、基地局ｅＮＢ２は、第２のＭＭＥプールにおけるＭＭＥをＵＥ５３０のためにｅＮＢ２のポリシーに従って選択し、Ｓ１−ＭＭＥ接続を確立し得（Ｓ６７０）、それによって、バックアップＭＭＥプールからローカルＭＭＥプールへのＵＥの成功裡の移行を実装する。
【００６５】
留意すべき点は、ＵＥによって登録されるＴＡ情報に従って、第１のＭＭＥにアクセスするＵＥがローカルＵＥであるか又は遠隔の移行されたＵＥであるかが区別される場合、第１のＭＭＥが、第１のＭＭＥにアクセスするＵＥが第１のＭＭＥプールのカバレッジ内のＵＥであるかを判定する、前述の実施形態２におけるステップＳ４０１は、ＵＥが第１のＭＭＥプールのカバレッジ内のＵＥであるかを、ＵＥによって登録されるＴＡ情報に従って判定するステップを含む点である。
【００６６】
第１のＭＭＥは、第１のＭＭＥプールのＴＡ情報を知り得るため、第１のＭＭＥは、ＵＥが第１のＭＭＥプールのカバレッジ内のＵＥであるかを、ＵＥによって報告されるＴＡ情報と第１のＭＭＥプールのＴＡ情報とを比較することによって判定し得る。
（実施例４）
【００６７】
この実施形態においては、第１のＭＭＥがＩＤをＵＥに割り当てる場合、第１のＭＭＥは、第１のＭＭＥにアクセスするＵＥがローカルＵＥであるか又は遠隔の移行されたＵＥであるかを区別するために、フラグをＩＤに付加する。
【００６８】
具体的には、ＵＥが第１のＭＭＥにアクセスする場合、第１のＭＭＥは、ＵＥが第２のＭＭＥプールのカバレッジ内のユーザ機器であるかを識別するために、又はＵＥが第１のＭＭＥに第２のＭＭＥプールのカバレッジ内の基地局と第１のＭＭＥとの間のＳ１リンクを通じてアクセスするかを識別するために、ＵＥに割り当てられる加入者ＩＤにフラグを付加する。例えば、ＵＥが、第１のＭＭＥに、第２のＭＭＥプールのカバレッジ内の基地局と第１のＭＭＥとの間のＳ１リンクを通じてアクセスする場合、フラグは「１」に設定される。そうでない場合、フラグは「０」に設定される。
【００６９】
このように、第２のＭＭＥプールが正常に戻る場合、第１のＭＭＥは、第１のＭＭＥにアクセスするユーザ機器の加入者ＩＤにおけるフラグに従って、第２のＭＭＥプールから移行されたＵＥをオフロードし得る。
【００７０】
例えば、第１のＭＭＥは、加入者ＩＤをＵＥにアタッチ要求において又はＴＡＵ手続きにおいて割り当て得る。また、割り当てられる加入者ＩＤは、前述の実施形態におけるものと同じであり、Ｓ−ＴＭＳＩ又はＧＵＴＩであり得る。
【００７１】
この実施形態は、フラグにおけるビットの数を限定しない。しかしながら、１ビットは、一般に、目的を果たすために充分である。Ｓ−ＴＭＳＩを例として使用すると、Ｓ−ＴＭＳＩは、ＭＭＥＣと、ＭＭＥモバイル加入者ＩＤ（ＭＭＥ  ｍｏｂｉｌｅ  ｓｕｂｓｃｒｉｂｅｒ  ｉｄｅｎｔｉｔｙ，Ｍ−ＴＭＳＩ）とによって形成される。Ｍ−ＴＭＳＩにおける専用ビットは、フラグとして使用されて、どのＳ１リンクにＵＥが由来するかが区別され得る。
【００７２】
この実施形態は、前述の実施形態１と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、フラグを含み、ＵＥが第１のＭＭＥに第２のＭＭＥプールのカバレッジ内の基地局と第１のＭＭＥとの間のＳ１リンクを通じてアクセスする場合、フラグを既定値に設定する、割り当てるステップ
をさらに含み、
対応して、第１のＭＭＥが、第１のＭＭＥにアクセスするＵＥが第２のＭＭＥプールのカバレッジ内のＵＥであるかを判定する、前述のステップＳ３０１は、
加入者ＩＤにおけるフラグが既定値であるかを判定するステップと、
フラグが既定値である場合、ＵＥは第２のＭＭＥプールのカバレッジ内のＵＥであると判定するステップと
を含む。
【００７３】
対応して、前述のステップＳ３０２が実行されて、ＵＥがオフロードされる。
【００７４】
この実施形態は、前述の実施形態２と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、フラグを含み、ＵＥが第１のＭＭＥに第２のＭＭＥプールのカバレッジ内の基地局と第１のＭＭＥとの間のＳ１リンクを通じてアクセスする場合、フラグを既定値に設定する、割り当てるステップ
をさらに含み、
対応して、第１のＭＭＥが、第１のＭＭＥにアクセスするＵＥが第１のＭＭＥプールのカバレッジ内のＵＥであるかを判定する、前述のステップＳ４０１は、
加入者ＩＤにおけるフラグが既定値であるかを判定するステップと、
フラグが既定値である場合、ＵＥは第１のＭＭＥプールのカバレッジ内のＵＥではないと判定するステップと
をさらに含む。
【００７５】
対応して、前述のステップＳ４０２が実行されて、ＵＥがオフロードされる。
（実施例５）
【００７６】
この実施形態においては、第１のＭＭＥがＩＤをＵＥに割り当てる場合、第１のＭＭＥは、そのＩＤの異なるコンテンツも使用して、第１のＭＭＥにアクセスするＵＥがローカルＵＥであるか又は遠隔の移行されたＵＥであるかを区別し得る。
【００７７】
例えば、第１のＭＭＥは、第１のＭＭＥにアクセスするＵＥがローカルＵＥであるか又は遠隔の移行されたＵＥであるかを判定するために、専用のＭ−ＴＭＳＩセグメントを、第２のＭＭＥプールから移行されたＵＥに割り当て得る。
【００７８】
例えば、Ｍ−ＴＭＳＩは、３２ビットを有し、このうち、０から２ｎは、第１のＭＭＥにアクセスするＵＥに割り当てられ得、ここで、０＜ｎ＜３２であり、２ｎ＋１から２３２−ｎは、第１のＭＭＥにアクセスする遠隔の移行されたＵＥに割り当てられる。このように、第１のＭＭＥは、Ｍ−ＴＭＳＩに従って、第１のＭＭＥにアクセスするＵＥが第２のＭＭＥプールのカバレッジ内のＵＥであるかを判定し得る。
【００７９】
この実施形態は、前述の実施形態１と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、Ｍ−ＴＭＳＩを含み、ＵＥが第１のＭＭＥに第２のＭＭＥプールのカバレッジ内の基地局と第１のＭＭＥとの間のＳ１リンクを通じてアクセスする場合、Ｍ−ＴＭＳＩの値は、プリセットの番号セグメント内である、割り当てるステップ
をさらに含み、
対応して、第１のＭＭＥが、第１のＭＭＥにアクセスするＵＥが第２のＭＭＥプールのカバレッジ内のＵＥであるかを判定する、前述のステップＳ３０１は、
加入者ＩＤにおけるＭ−ＴＭＳＩの値がプリセットの番号セグメント内であるかを判定するステップと、
Ｍ−ＴＭＳＩの値がプリセットの番号セグメント内である場合、ＵＥは第２のＭＭＥプールのカバレッジ内のＵＥであると判定するステップ
を含む。
【００８０】
対応して、前述のステップＳ３０２が実行されて、ＵＥがオフロードされる。
【００８１】
この実施形態は、前述の実施形態２と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、Ｍ−ＴＭＳＩを含み、ＵＥが第１のＭＭＥに第２のＭＭＥプールのカバレッジ内の基地局と第１のＭＭＥとの間のＳ１リンクを通じてアクセスする場合、Ｍ−ＴＭＳＩの値は、プリセットの番号セグメント内である、割り当てるステップ
をさらに含み、
対応して、第１のＭＭＥが、第１のＭＭＥにアクセスするＵＥが第１のＭＭＥプールのカバレッジ内のＵＥであるかを判定する、前述のステップＳ４０１は、
加入者ＩＤにおけるＭ−ＴＭＳＩの値が、プリセットの番号セグメント内であるかを判定するステップと、
Ｍ−ＴＭＳＩの値がプリセットの番号セグメント内である場合、ＵＥは第１のＭＭＥプールのカバレッジ内のＵＥではないと判定するステップと
を含む。
【００８２】
対応して、前述のステップＳ４０２が実行されて、ＵＥがオフロードされる。
【００８３】
留意すべき点は、前述の実施形態において、ＵＥをオフローディングすることが、ロードリバランシング手続き又はデタッチ手続きを使用することによって実装され得る点である。下記は、実施形態６及び実施形態７を参照しつつ、説明を与えており、実施形態６及び実施形態７は、前述の実施形態のうちの任意の１つと組み合わされ得る。
（実施例６）
ロードリバランシング手続きを用いたＵＥのオフローディング
【００８４】
図７は、本発明の実施形態６に係る、ＵＥを管理するための方法のフローチャートである。図７に示されるように、本方法は、下記のステップを含む。
【００８５】
Ｓ７０１：第１のＭＭＥは、第１のＭＭＥにアクセスするＵＥが第２のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００８６】
Ｓ７０２：ＵＥが、第２のＭＭＥプールのカバレッジ内のＵＥであり、且つ、第２のＭＭＥプールが、正常な状態にある場合、第１のＭＭＥは、ロードリバランシング（ｌｏａｄ  ｒｅ−ｂａｌａｎｃｉｎｇ）手続きを開始する。
【００８７】
ロードリバランシング手続きを用いることで、Ｓ１接続及びＵＥとＭＭＥとの間のＲＲＣ接続が、開放され得る。Ｓ１接続及びＲＲＣ接続が解放された後、ＵＥは、ＴＡＵ手続きを開始する。この場合には、ＲＲＣ確立手続きにおいて、ＵＥは、もはやＳ−ＴＭＳＩ又はＧＵＭＭＥＩ情報をＲＲＣ接続要求に付加せず、ｅＮＢは、第１のＭＭＥプールにおけるＭＭＥをＵＥのためにｅＮＢのポリシーに従って選択し、Ｓ１−ＭＭＥ接続を確立し得る。
（実施例７）
デタッチ手続きを用いたＵＥのオフローディング
【００８８】
図８は、本発明の実施形態７に係る、ＵＥを管理するための方法のフローチャートである。図８に示されるように、本方法は、下記のステップを含む。
【００８９】
Ｓ８０１：第１のＭＭＥは、第１のＭＭＥにアクセスするＵＥが第２のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００９０】
Ｓ８０２：ＵＥが、第２のＭＭＥプールのカバレッジ内のＵＥであり、且つ、第２のＭＭＥプールが、正常な状態にある場合、第１のＭＭＥは、デタッチ（ｄｅｔａｃｈ）動作をＵＥに対して実行する。
【００９１】
デタッチ動作がＵＥに対して実行された後、Ｓ１接続及びＵＥとＭＭＥとの間のＲＲＣ接続が、解放され得る。Ｓ１接続及びＲＲＣ接続が解放された後、ＵＥは、ＴＡＵ手続きを開始する。この場合には、ＲＲＣ確立手続きにおいて、ＵＥは、もはやＳ−ＴＭＳＩ又はＧＵＭＭＥＩ情報をＲＲＣ接続要求に付加せず、ｅＮＢは、第１のＭＭＥプールにおけるＭＭＥをＵＥのためにｅＮＢのポリシーに従って選択し、Ｓ１−ＭＭＥ接続を確立し得る。
【００９２】
留意すべき点は、前述の実施形態において、第１のＭＭＥをトリガしてＵＥをオフロードするための方法は、第２のＭＭＥプールが正常に戻った後、第１のＭＭＥをトリガするためのコマンドを手動で実行して、第２のＭＭＥプールからのものであるＵＥをオフロードすることであり得る点である。本方法は、ＭＭＥ間のインターフェースメッセージを使用して、第１のＭＭＥをトリガして、ＵＥをオフロードすること、つまり、第２のＭＭＥプールが、第１のＭＭＥに、第２のＭＭＥプールの状態が変化するときに通知することであってもよい。このように、第２のＭＭＥプールが正常に戻る場合、第１のＭＭＥは、ロードリバランシング手続き又はデタッチ手続きを積極的に開始して、第２のＭＭＥプールからのものであるＵＥをオフロードし得る。本方法は、ＭＭＥによって、ＭＭＥ間のリンク（Ｓ１０リンク）の状態を周期的に検出し、リンクの状態に従って、第１のＭＭＥをトリガして、第２のＭＭＥプールからのものであるＵＥをオフロードすることであってもよい。例えば、第１のＭＭＥが、第１のＭＭＥと第２のＭＭＥプールにおける第２のＭＭＥとの間のＳ１０リンクが障害状態から正常な状態へ変化したことを検出する場合、第１のＭＭＥは、ロードリバランシング手続き又はデタッチ手続きを積極的に開始して、第２のＭＭＥプールからのものであるＵＥをオフロードする。下記は、実施形態８及び実施形態９を参照しつつ、説明を与え、実施形態８及び実施形態９は、前述の実施形態のうちの任意の１つと組み合わされ得る。
（実施例８）
【００９３】
ＭＭＥ間のインターフェースメッセージは、第１のＭＭＥをトリガしてＵＥをオフロードするために使用される。つまり、第２のＭＭＥプールは、第１のＭＭＥに、第２のＭＭＥプールの状態が変化するときに通知する。このように、第２のＭＭＥプールが正常に戻る場合、第１のＭＭＥは、ロードリバランシング手続き又はデタッチ手続きを積極的に開始して、第２のＭＭＥプールからのものであるＵＥをオフロードし得る。
【００９４】
図９は、本発明の実施形態８に係る、ＵＥを管理するための方法のフローチャートである。図９に示されるように、本方法は、下記のステップを含む。
【００９５】
Ｓ９０１：第１のＭＭＥは、第２のＭＭＥプールにおける第２のＭＭＥによって送信される通知メッセージを受信する。ここで、通知メッセージは、第１のＭＭＥに、第２のＭＭＥプールが正常な状態に戻ったことを通知するために使用される。
【００９６】
Ｓ９０２：第１のＭＭＥは、第１のＭＭＥにアクセスするＵＥが第２のＭＭＥプールのカバレッジ内のＵＥであるかを判定する。
【００９７】
Ｓ９０３：ＵＥが、第２のＭＭＥプールのカバレッジ内のＵＥである場合、第１のＭＭＥは、ＵＥをオフロードする。
【００９８】
前述のステップＳ９０２及びＳ９０３は、実施形態２におけるステップＳ４０２及びＳ４０３と置換されてもよく、詳細は、ここでは繰り返し説明されない。
（実施例９）
【００９９】
ＭＭＥは、ＭＭＥ間のリンク（Ｓ１０リンク）の状態を周期的に検出し、第２のＭＭＥプールからのものであるＵＥをオフローディングすることは、そのリンクの状態に従ってトリガされる。
【０１００】
図１０は、本発明の実施形態９に係る、ＵＥを管理するための方法のフローチャートである。図１０に示されるように、本方法は、下記のステップを含む。
【０１０１】
Ｓ１０１：第１のＭＭＥは、第１のＭＭＥと第２のＭＭＥとの間のリンクが正常であるかを検出する。ここで、第２のＭＭＥは、第２のＭＭＥプールに位置する。
【０１０２】
Ｓ１０２：第１のＭＭＥは、第１のＭＭＥにアクセスするＵＥが第２のＭＭＥプールのカバレッジ内のＵＥであるかを判定する。
【０１０３】
Ｓ１０３：ＵＥが、第２のＭＭＥプールのカバレッジ内のＵＥであり、且つ、第１のＭＭＥと第２のＭＭＥとの間のリンクが正常であることが検出される場合、第１のＭＭＥは、ＵＥをオフロードする。
【０１０４】
留意すべき点は、前述の第２のＭＭＥが、特定のＭＭＥを指さず、一般的な意味において第２のＭＭＥプールにおけるＭＭＥを指す点である。さらに、第１のＭＭＥは、周期的に又はイベントをトリガすることに応答して、第１のＭＭＥと第２のＭＭＥとの間のリンクが正常であるかを検出し得る。例えば、第１のＭＭＥが、第１のＭＭＥにアクセスするＵＥは第２のＭＭＥプールのカバレッジ内のＵＥを含むと判定する場合、第１のＭＭＥは、前述のリンクが正常であるかを周期的に検出し始める。この実施形態は、実施形態８と組み合わされてもよい。第２のＭＭＥは、通知メッセージを送信して、第２のＭＭＥの状態における変化を通知する。通知メッセージに従って、障害が第２のＭＭＥプールにおいて発生していることを知ると、第１のＭＭＥは、前述のリンクが正常であるかを周期的に検出し始める。
【０１０５】
前述のステップＳ１０２及びＳ１０３は、実施形態２におけるステップＳ４０２及びＳ４０３と置換されてもよく、詳細は、ここでは繰り返し説明されない。
（実施例１０）
【０１０６】
図１１は、本発明の実施形態１０に係る、ＵＥを管理するための装置の概略構造図である。装置１１０は、第１のＭＭＥに適用され、実施形態１から実施形態９に係る方法のうちのいずれか１つを実行するように構成される。第１のＭＭＥは、第１のＭＭＥプールに位置し、第１のＭＭＥプールは、第２のＭＭＥプールのバックアップＭＭＥプールである。図１１に示されるように、装置１１０は、判定ユニット１１１と、オフローディングユニット１１２とを含む。ここで、判定ユニット１１１は、第１のＭＭＥにアクセスするＵＥが第２のＭＭＥプールのカバレッジ内のＵＥであるかを判定するように構成される。オフローディングユニット１１２は、ＵＥが第２のＭＭＥプールのカバレッジ内のＵＥであり、且つ、第２のＭＭＥプールが正常な状態にある場合に、ＵＥをオフロードするように構成される。
【０１０７】
第１のＭＭＥプールは、第２のＭＭＥプールのバックアップＭＭＥプールであり、障害が第２のＭＭＥプールにおいて発生した場合、第２のＭＭＥプールのカバレッジ内のＵＥは、第１のＭＭＥプールにアクセスすることが分かる。第１のＭＭＥプールにおけるＭＭＥは、前述の装置１１０を使用して、ＭＭＥにアクセスするＵＥが第２のＭＭＥプールからのものであるかを判定し、第２のＭＭＥプールが正常に戻った場合、第２のＭＭＥプールからのものであるＵＥをオフロードし得る。このように、ＲＲＣ確立手続きにおいては、ｅＮＢが第２のＭＭＥプールにおけるＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ＵＥがバックアップＭＭＥプールからローカルＭＭＥプールへ移行され損なうという問題を解決することが分かる。
【０１０８】
前述の実施形態３におけるように、判定ユニット１１１は、ＵＥが第２のＭＭＥプールのカバレッジ内のＵＥであるかを、ＵＥによって登録されるＴＡ情報に従って、具体的に判定し得る。
【０１０９】
この場合においては、図１２に示されるように、前述の装置１１０は、基地局によって報告されるＴＡ情報と、ＵＥによって登録され、ＵＥによって報告されるＴＡ情報とを受信するように構成された受信ユニット１１３をさらに含み得る。ここで、ユーザ機器は、基地局のカバレッジ内に存在する。判定ユニット１１１は、基地局によって報告されるＴＡ情報がＵＥによって登録されるＴＡ情報と一致する場合、ＵＥは第２のＭＭＥプールのカバレッジ内のＵＥであると判定するように具体的に構成される。このように、オフローディングユニット１１２は、ＵＥをオフロードし得る。
【０１１０】
前述のＴＡ情報は、ＵＥによって登録されるＴＡ情報と、基地局によって報告されるＴＡ情報とを含み、ＴＡＩ又はＴＡＣであり得る。
【０１１１】
前述の実施形態４におけるように、判定ユニット１１１は、ＵＥが第２のＭＭＥプールのカバレッジ内のＵＥであるかを、ＵＥの加入者ＩＤに従って判定し得る。
【０１１２】
この場合においては、図１３に示されるように、前述の装置１１０は、ＵＥが第１のＭＭＥに第２のＭＭＥプールのカバレッジ内の基地局と第１のＭＭＥとの間のＳ１リンクを通じてアクセスする場合に、加入者ＩＤをＵＥに割り当てるように構成された割り当てユニット１１４をさらに含み得る。ここで、加入者ＩＤは、フラグを含み、フラグの値は、既定値である。判定ユニット１１１は、加入者ＩＤにおけるフラグが既定値である場合、ＵＥは第２のＭＭＥプールのカバレッジ内のＵＥであると判定するように具体的に構成される。
【０１１３】
前述の実施形態５におけるように、別の実施形態において、割り当てユニット１１４は、ＵＥが第１のＭＭＥに第２のＭＭＥプールのカバレッジ内の基地局と第１のＭＭＥとの間のＳ１リンクを通じてアクセスする場合に、加入者ＩＤをＵＥに割り当てるように構成され得る。ここで、加入者ＩＤは、Ｍ−ＴＭＳＩを含み、Ｍ−ＴＭＳＩの値は、プリセットの番号セグメント内である。判定ユニット１１１は、加入者ＩＤにおけるＭ−ＴＭＳＩの値がプリセットの番号セグメント内である場合、ＵＥは第２のＭＭＥプールのカバレッジ内のＵＥであると判定するように具体的に構成される。
【０１１４】
随意的に、前述の実施形態６におけるように、オフローディングユニット１１２は、ロードリバランシング手続きを使用することによってＵＥをオフロードしてもよい。
【０１１５】
随意的に、前述の実施形態７におけるように、オフローディングユニット１１２は、デタッチ動作をＵＥに対して実行することによってＵＥをオフロードしてもよい。
【０１１６】
さらに、オフローディングユニット１１２をトリガしてＵＥをオフロードするための方法は、第２のＭＭＥプールが正常に戻った後に、オフローディングユニット１１２をトリガするためのコマンドを手動で実行して、第２のＭＭＥプールからのものであるＵＥをオフロードすることであり得る。
【０１１７】
本方法は、ＭＭＥ間のインターフェースメッセージを使用して、オフローディングユニット１１２をトリガして、ＵＥをオフロードすること、つまり、第２のＭＭＥプールが、第１のＭＭＥに、第２のＭＭＥプールの状態が変化するときに通知することであってもよい。このように、第２のＭＭＥプールが正常に戻る場合、オフローディングユニット１１２は、ロードリバランシング手続き又はデタッチ手続きを積極的に開始して、第２のＭＭＥプールからのものであるＵＥをオフロードし得る。この場合において、オフローディングユニット１１２は、ＵＥが第２のＭＭＥプールのカバレッジ内のＵＥである場合に、ＵＥをオフロードするように構成され、第１のＭＭＥは、通知メッセージを受信する。ここで、通知メッセージは、第２のＭＭＥプールにおける第２のＭＭＥによって送信され、第２のＭＭＥプールが正常な状態に戻ったことを通知するために使用される。
【０１１８】
本方法は、ＭＭＥによって、ＭＭＥ間のリンク（Ｓ１０リンク）の状態を周期的に検出し、リンクの状態に従って、オフローディングユニット１１２をトリガして、第２のＭＭＥプールからのものであるＵＥをオフロードすることであってもよい。例えば、第１のＭＭＥが、第１のＭＭＥと第２のＭＭＥプールにおける第２のＭＭＥとの間のＳ１０リンクが障害状態から正常な状態へ変化することを検出する場合、オフローディングユニット１１２は、ロードリバランシング手続き又はデタッチ手続きを積極的に開始して、第２のＭＭＥプールからのものであるＵＥをオフロードする。この場合において、図１４に示されるように、前述の装置１１０は、第１のＭＭＥと第２のＭＭＥとの間のリンクが正常であるかを検出するように構成された検出ユニット１１５をさらに含み得る。ここで、第２のＭＭＥは、第２のＭＭＥプールに位置する。オフローディングユニット１１２は、ＵＥが第２のＭＭＥプールのカバレッジ内のＵＥである場合、ＵＥをオフロードするように具体的に構成され、検出ユニット１１５は、第１のＭＭＥと第２のＭＭＥとの間のリンクが正常であることを検出する。
【０１１９】
留意すべき点は、前述の判定ユニット１１１及びオフローディングユニット１１２が、ＭＭＥのプロセッサから独立したハードウェアの形式で実装されてもよく、別個に若しくは共に実装されてもよく、マイクロプロセッサの形式であってもよく、又はＭＭＥのプロセッサ内にハードウェアの形式で埋め込まれてもよく、ＭＭＥのプロセッサが判定ユニット１１１及びオフローディングユニット１１２に対応する動作を実行するように、ＭＭＥのプロセッサにソフトウェアの形式で記憶されてもよい点である。受信ユニット１１３は、ＭＭＥのインターフェース回路であってもよく、割り当てユニット１１４は、判定ユニット１１１若しくはオフローディングユニット１１２と同じ形式で実装され、判定ユニット１１１及びオフローディングユニット１１２と一体化されても、又は別個に実装されてもよい。検出ユニット１１５は、判定ユニット１１１若しくはオフローディングユニット１１２と同じ形式で実装されてもよく、判定ユニット１１１及びオフローディングユニット１１２と一体化されても、又は別個に実装されてもよく、ＭＭＥのインターフェース回路に一体化されてもよい。本発明のこの実施形態は、これに対していかなる限定も課さない。前述のプロセッサは、中央処理装置（ＣＰＵ）、マイクロプロセッサ、単一チップマイクロコンピュータ等であってもよい。
（実施例１１）
【０１２０】
図１５は、本発明の実施形態１１に係るＭＭＥの概略構造図である。
【０１２１】
図１５に示されるように、ＭＭＥ１５０は、第１のインターフェース回路１５１と、第２のインターフェース回路１５２と、メモリ１５３と、第１のインターフェース回路１５１、第２のインターフェース回路１５２、及びメモリ１５３に接続されるプロセッサ１５４とを含む。第１のインターフェース回路１５１は、基地局と通信するように構成され、第２のインターフェース回路１５２は、別のＭＭＥと通信するように構成され、メモリ１５３は、ＭＭＥによる動作のために必要とされるパラメータ又はプログラムコードなどの情報を記憶するように構成され、プロセッサ１５４は、判定ユニット１１１及びオフローディングユニット１１２に対応する動作を実行するように構成される。
【０１２２】
例えば、判定ユニット１１１及びオフローディングユニット１１２が、メモリ１５３においてソフトウェアの形式で記憶される場合、メモリ１５３は、プログラムコードのグループを記憶するように構成され、プロセッサ１５４は、メモリ１５３において記憶されるプログラムコードを起動し、例えば、第１のＭＭＥにアクセスするＵＥが第２のＭＭＥプールのカバレッジ内のＵＥであるかを判定するステップであって、第１のＭＭＥが、第１のＭＭＥプールに位置し、第１のＭＭＥプールが、第２のＭＭＥプールのバックアップＭＭＥプールである、ステップと、ＵＥが第２のＭＭＥプールのカバレッジ内のＵＥであり、且つ、第２のＭＭＥプールが正常な状態にある場合、ＵＥをオフロードするステップとを含む、実施形態１又は実施形態２における動作を実行するように構成される。
【０１２３】
別の例として、判定ユニット１１１及びオフローディングユニット１１２が、ハードウェアの形式で一体化されて、プロセッサ１５４を形成する場合、プロセッサは、判定ユニット１１１及びオフローディングユニット１１２に対応する動作を実行するように構成される。
【０１２４】
前述の実施形態３におけるように、プロセッサは、ＵＥが第２のＭＭＥプールのカバレッジ内のＵＥであるかを、ＵＥによって登録されるＴＡ情報に従って具体的に判定し得る。この場合において、第１のインターフェース回路１５１は、基地局によって報告されるＴＡ情報と、ＵＥによって登録され、ＵＥによって報告されるＴＡ情報とを受信するように構成される。ここで、ユーザ機器は、基地局のカバレッジ内に存在する。プロセッサ１５４は、基地局によって報告されるＴＡ情報と、ＵＥによって登録され、ＵＥによって報告されるＴＡ情報とが一致するかを判定し、基地局によって報告されるＴＡ情報と、ＵＥによって登録されるＴＡ情報とが一致する場合、ＵＥをオフロードするように構成される。
【０１２５】
前述の実施形態４におけるように、プロセッサ１５４は、ＵＥが第２のＭＭＥプールのカバレッジ内のＵＥであるかを、ＵＥの加入者ＩＤに従って判定し得る。この場合において、プロセッサ１５４は、加入者ＩＤをＵＥに割り当てるようにさらに構成される。ここで、加入者ＩＤは、フラグを含み、ＵＥが第１のＭＭＥに第２のＭＭＥプールのカバレッジ内の基地局と第１のＭＭＥとの間のＳ１リンクを通じてアクセスする場合、フラグの値は、既定値である。プロセッサ１５４は、加入者ＩＤにおけるフラグが既定値であるかを判定し、加入者ＩＤにおけるフラグが既定値である場合、ＵＥをオフロードするようにさらに構成される。
【０１２６】
前述の実施形態５におけるように、別の実施形態において、プロセッサ１５４に割り当てられる加入者ＩＤは、Ｍ−ＴＭＳＩを含み、ＵＥが第１のＭＭＥに第２のＭＭＥプールのカバレッジ内の基地局と第１のＭＭＥとの間のＳ１リンクを通じてアクセスする場合、Ｍ−ＴＭＳＩの値は、プリセットの番号セグメント内である。プロセッサ１５４は、加入者ＩＤにおけるＭ−ＴＭＳＩの値がプリセットの番号セグメント内であるかを判定し、加入者ＩＤにおけるＭ−ＴＭＳＩの値がプリセットの番号セグメント内である場合、ＵＥをオフロードするようにさらに構成される。
【０１２７】
随意的に、前述の実施形態６におけるように、プロセッサ１５４は、ロードリバランシング手続きを使用することによってＵＥをオフロードしてもよい。
【０１２８】
随意的に、前述の実施形態７におけるように、プロセッサ１５４は、デタッチ動作をＵＥに対して実行することによってＵＥをオフロードしてもよい。
【０１２９】
さらに、プロセッサ１５４をトリガしてＵＥをオフロードするための方法は、第２のＭＭＥプールが正常に戻った後に、プロセッサ１５４をトリガするためのコマンドを手動で実行して、第２のＭＭＥプールからのものであるＵＥをオフロードすることであってもよい。
【０１３０】
本方法は、ＭＭＥ間のインターフェースメッセージを使用し、プロセッサ１５４をトリガして、ＵＥをオフロードすること、つまり、第２のＭＭＥプールが、第１のＭＭＥに、第２のＭＭＥプールの状態が変化したときに通知することであってもよい。このように、第２のＭＭＥプールが、正常に戻った場合、プロセッサ１５４は、ロードリバランシング手続き又はデタッチ手続きを積極的に開始して、第２のＭＭＥプールからのものであるＵＥをオフロードし得る。この場合において、プロセッサ１５４は、ＵＥが第２のＭＭＥプールのカバレッジ内のＵＥであり、且つ、第２のインターフェース回路１５２が通知メッセージを受信する場合、ＵＥをオフロードするように構成される。ここで、通知メッセージは、第２のＭＭＥプールにおける第２のＭＭＥによって送信され、第２のＭＭＥプールが正常な状態に戻ったことを通知するために使用される。
【０１３１】
本方法は、ＭＭＥによって、ＭＭＥ間のリンク（Ｓ１０リンク）の状態を周期的に検出し、リンクの状態に従って、プロセッサ１５４をトリガして、第２のＭＭＥプールからのものであるＵＥをオフロードすることであってもよい。例えば、第１のＭＭＥが、第１のＭＭＥと第２のＭＭＥプールにおける第２のＭＭＥとの間のＳ１０リンクが障害状態から正常な状態へ変化することを検出する場合、プロセッサ１５４は、ロードリバランシング手続き又はデタッチ手続きを積極的に開始して、第２のＭＭＥプールからのものであるＵＥをオフロードする。この場合において、図１６に示されるように、前述の装置１５０は、第１のＭＭＥと第２のＭＭＥとの間のリンクが正常であるかを検出するように構成された検出回路１５５をさらに含み得る。ここで、第２のＭＭＥは、第２のＭＭＥプールに位置する。プロセッサ１５４は、ＵＥが第２のＭＭＥプールのカバレッジ内のＵＥである場合、ＵＥをオフロードするように具体的に構成され、検出回路１５５は、第１のＭＭＥと第２のＭＭＥとの間のリンクが正常であることを検出する。検出回路１５５は、独立して実装されてもよく、又は第２のインターフェース回路１５２に一体化されてもよい。
【０１３２】
上記の実施形態の説明を通じて、当業者は、本発明がハードウェア、若しくはファームウェア、又はこれらの組み合わせによって実装され得ることを明確に理解することができる。本発明がソフトウェアによって実装される場合、前述の機能は、コンピュータ読取可能な媒体において記憶され、又は、１若しくは複数の命令若しくはコードとしてコンピュータ読取可能な媒体において送信され得る。コンピュータ読取可能な媒体は、コンピュータ記憶媒体と通信媒体とを含む。ここで、通信媒体は、コンピュータプログラムを１つの場所から別の場所へ伝送するために都合が良い任意の媒体を含む。記憶媒体は、コンピュータによってアクセス可能な任意の利用可能な媒体であり得る。下記は、一例であるが、本発明は、この例に限定されない。コンピュータ読取可能な媒体は、ＲＡＭ、ＲＯＭ、ＥＥＰＲＯＭ、ＣＤ−ＲＯＭ、又は光ディスク及び磁気ディスクといった他の記憶媒体、又は他の磁気記憶デバイス、又は期待されるプログラムコードを命令若しくはデータ構造の形式で伝達若しくは記憶することができ、コンピュータによってアクセス可能な任意の他の媒体を含み得る。また、任意の接続は、適切な場合には、コンピュータ読取可能であり得る。例えば、ソフトウェアが、ウェブサイト、サーバ、又は他の遠隔ソースから、同軸ケーブル、光ファイバ及びケーブル、ツイストペア、デジタル加入者回線（ＤＳＬ）、又は、赤外線、無線、若しくはマイクロ波などの無線技術、同軸ケーブル、光ファイバ及びケーブル、ツイストペア、ＤＳＬなどの無線技術を使用することによって送信される場合、同軸ケーブル、光ファイバ及びケーブル、ツイストペア、ＤＳＬ、又は赤外線、無線、若しくはマイクロ波などの無線技術は、媒体の定義に含まれる。例えば、本発明において使用されるディスク（Ｄｉｓｋ）及びディスク（ｄｉｓｃ）は、コンパクトディスク（ＣＤ）、レーザディスク、光ディスク、デジタル多用途ディスク（ＤＶＤ）、フロッピーディスク、及びブルーレイディスクを含む。ここで、ディスク（ｄｉｓｋ）は、通常、データを磁気的に複製し、ディスク（ｄｉｓｃ）は、レーザを使用することによってデータを光学的に複製する。前述の組み合わせも、コンピュータ読取可能な媒体の保護範囲内に収まるべきものである。
【０１３３】
結論として、前述の実施形態は、本発明の技術的解決策の例示的な実施形態に過ぎず、本発明を限定することを意図されない。任意の変形、均等な置換、及び本発明の原理から逸脱することなく行われる改良は、本発明の保護範囲内に収まるべきものである。
【図１】
2016522647.tif 000003
【図２】
2016522647.tif 000004
【図３】
2016522647.tif 000005
【図４】
2016522647.tif 000006
【図５】
2016522647.tif 000007
【図６】
2016522647.tif 000008
【図７】
2016522647.tif 000009
【図８】
2016522647.tif 000010
【図９】
2016522647.tif 000011
【図１０】
2016522647.tif 000012
【図１１】
2016522647.tif 000013
【図１２】
2016522647.tif 000014
【図１３】
2016522647.tif 000015
【図１４】
2016522647.tif 000016
【図１５】
2016522647.tif 000017
【図１６】
2016522647.tif 000018
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
ユーザ機器を管理するための方法であって、
第１のモビリティマネジメントエンティティ（ＭＭＥ）によって、前記第１のＭＭＥにアクセスするユーザ機器が第２のＭＭＥプールのカバレッジ内のユーザ機器であるかを判定するステップであって、前記第１のＭＭＥは、第１のＭＭＥプールに位置し、前記第１のＭＭＥプールは、前記第２のＭＭＥプールのバックアップＭＭＥプールである、判定するステップと、
前記第１のＭＭＥによって、前記ユーザ機器が前記第２のＭＭＥプールのカバレッジ内のユーザ機器であり、且つ、前記第２のＭＭＥプールが正常な状態にある場合、前記ユーザ機器をオフロードするステップと
を含む、方法。
【請求項２】
第１のＭＭＥによって、前記第１のＭＭＥにアクセスするユーザ機器が第２のＭＭＥプールのカバレッジ内のユーザ機器であるかを前記判定するステップが、
前記ユーザ機器が前記第２のＭＭＥプールのカバレッジ内のユーザ機器であるかを、前記ユーザ機器によって登録されるトラッキングエリア情報に従って判定するステップ
を含む、請求項１に記載の方法。
【請求項３】
第１のＭＭＥによって、前記第１のＭＭＥにアクセスするユーザ機器が第２のＭＭＥプールのカバレッジ内のユーザ機器であるかを前記判定するステップの前に、前記方法が、
基地局によって報告されるトラッキングエリア情報を受信するステップであって、前記ユーザ機器が、前記基地局のカバレッジ内に存在する、受信するステップと、
前記ユーザ機器によって登録され、前記ユーザ機器によって報告される前記トラッキングエリア情報を受信するステップと
をさらに含み、
第１のＭＭＥによって、前記第１のＭＭＥにアクセスするユーザ機器が第２のＭＭＥプールのカバレッジ内のユーザ機器であるかを前記判定するステップが、
前記基地局によって報告される前記トラッキングエリア情報と、前記ユーザ機器によって登録される前記トラッキングエリア情報とが一致するかを判定するステップと、
前記基地局によって報告される前記トラッキングエリア情報と、前記ユーザ機器によって登録される前記トラッキングエリア情報とが一致する場合、前記ユーザ機器は前記第２のＭＭＥプールのカバレッジ内のユーザ機器であると判定するステップと
を含む、請求項２に記載の方法。
【請求項４】
前記ユーザ機器によって登録される前記トラッキングエリア情報が、トラッキングエリアＩＤ（ＴＡＩ）又はトラッキングエリアコード（ＴＡＣ）である、請求項２又は３に記載の方法。
【請求項５】
前記ユーザ機器が、前記第１のＭＭＥに、前記第２のＭＭＥプールのカバレッジ内の基地局と前記第１のＭＭＥとの間のＳ１リンクを通じてアクセスする場合、加入者ＩＤを前記ユーザ機器に割り当てるステップであって、前記加入者ＩＤは、フラグを含み、前記フラグの値は、既定値である、割り当てるステップ
をさらに含み、
第１のＭＭＥによって、前記第１のＭＭＥにアクセスするユーザ機器が第２のＭＭＥプールのカバレッジ内のユーザ機器であるかを前記判定するステップが、
前記加入者ＩＤにおける前記フラグが既定値であるかを判定するステップと、
前記フラグが前記既定値である場合、前記ユーザ機器が前記第２のＭＭＥプールのカバレッジ内のユーザ機器であると判定するステップと
を含む、請求項１に記載の方法。
【請求項６】
前記ユーザ機器が前記第１のＭＭＥに前記第２のＭＭＥプールのカバレッジ内の基地局と前記第１のＭＭＥとの間のＳ１リンクを通じてアクセスする場合、加入者ＩＤを前記ユーザ機器に割り当てるステップであって、前記加入者ＩＤは、Ｍ−ＴＭＳＩを含み、前記Ｍ−ＴＭＳＩの値は、プリセットの番号セグメント内である、割り当てるステップ
をさらに含み、
第１のＭＭＥによって、前記第１のＭＭＥにアクセスするユーザ機器が第２のＭＭＥプールのカバレッジ内のユーザ機器であるかを前記判定するステップが、
前記加入者ＩＤにおける前記Ｍ−ＴＭＳＩの前記値が前記プリセットの番号セグメント内であるかを判定するステップと、
前記Ｍ−ＴＭＳＩの前記値が前記プリセットの番号セグメント内である場合、前記ユーザ機器は前記第２のＭＭＥプールのカバレッジ内のユーザ機器であると判定するステップと
を含む、請求項１に記載の方法。
【請求項７】
前記第１のＭＭＥによって、前記ユーザ機器を前記オフロードするステップが、
前記第１のＭＭＥによって、ロードリバランシング手続きを開始して、前記ユーザ機器をオフロードするステップ、又は
前記第１のＭＭＥによって、デタッチ動作を前記ユーザ機器に対して実行することによって前記ユーザ機器をオフロードするステップ
を含む、請求項１から６のいずれか一項に記載の方法。
【請求項８】
前記第１のＭＭＥによって、前記ユーザ機器を前記オフロードするステップの前に、前記方法が、
前記第２のＭＭＥプールにおける第２のＭＭＥによって送信される通知メッセージを受信するステップであって、前記通知メッセージは、前記第２のＭＭＥプールが前記正常な状態に戻ったことを通知するために使用される、受信するステップ
をさらに含み、
前記第１のＭＭＥによって、前記ユーザ機器を前記オフロードするステップが、
前記ユーザ機器が前記第２のＭＭＥプールのカバレッジ内のユーザ機器であり、且つ、前記第１のＭＭＥが前記通知メッセージを受信する場合、前記第１のＭＭＥによって、前記ユーザ機器をオフロードするステップ
を含む、請求項１から７のいずれか一項に記載の方法。
【請求項９】
前記第１のＭＭＥによって、前記ユーザ機器を前記オフロードするステップの前に、前記方法が、
前記第１のＭＭＥと第２のＭＭＥとの間のリンクが正常であるかを検出するステップであって、前記第２のＭＭＥは、前記第２のＭＭＥプールに位置する、検出するステップ
をさらに含み、
前記第１のＭＭＥによって、前記ユーザ機器を前記オフロードするステップが、
前記第１のＭＭＥによって、前記ユーザ機器が前記第２のＭＭＥプールのカバレッジ内のユーザ機器であり、且つ、前記第１のＭＭＥと前記第２のＭＭＥとの間の前記リンクが正常であることが検出される場合、前記ユーザ機器をオフロードするステップ
を含む、請求項１から７のいずれか一項に記載の方法。
【請求項１０】
前記第１のＭＭＥによって、前記ユーザ機器を前記オフロードするステップが、
前記ユーザ機器が前記第２のＭＭＥプールのカバレッジ内のユーザ機器であり、且つ、前記第２のＭＭＥプールが前記正常な状態にある場合、既定のネットワーク調整期間内に、前記ユーザ機器をオフロードするステップ
を含む、請求項１から９のいずれか一項に記載の方法。
【請求項１１】
第１のモビリティマネジメントエンティティ（ＭＭＥ）に適用される、ユーザ機器を管理するための装置であって、前記第１のＭＭＥは、第１のＭＭＥプールに位置し、前記第１のＭＭＥプールは、第２のＭＭＥプールのバックアップＭＭＥプールであり、前記装置は、
前記第１のＭＭＥにアクセスするユーザ機器が前記第２のＭＭＥプールのカバレッジ内のユーザ機器であるかを判定するように構成された判定ユニットと、
前記ユーザ機器が前記第２のＭＭＥプールのカバレッジ内のユーザ機器であり、且つ、前記第２のＭＭＥプールが正常な状態にある場合、前記ユーザ機器をオフロードするように構成されたオフローディングユニットと
を備える、装置。
【請求項１２】
前記判定ユニットが、前記ユーザ機器が前記第２のＭＭＥプールのカバレッジ内のユーザ機器であるかを、前記ユーザ機器によって登録されるトラッキングエリア情報に従って判定する、請求項１１に記載の装置。
【請求項１３】
基地局によって報告されるトラッキングエリア情報と、前記ユーザ機器によって登録され、前記ユーザ機器によって報告される前記トラッキングエリア情報とを受信するように構成された受信ユニットであって、前記ユーザ機器は、前記基地局のカバレッジ内に存在する、受信ユニット
をさらに備え、
前記判定ユニットが、前記基地局によって報告される前記トラッキングエリア情報と前記ユーザ機器によって登録される前記トラッキングエリア情報とが一致する場合、前記ユーザ機器は前記第２のＭＭＥプールのカバレッジ内のユーザ機器であると判定するように具体的に構成される、請求項１２に記載の装置。
【請求項１４】
前記ユーザ機器によって登録される前記トラッキングエリア情報が、トラッキングエリアＩＤ（ＴＡＩ）又はトラッキングエリアコード（ＴＡＣ）である、請求項１２又は１３に記載の装置。
【請求項１５】
前記ユーザ機器が、前記第１のＭＭＥに、前記第２のＭＭＥプールのカバレッジ内の基地局と前記第１のＭＭＥとの間のＳ１リンクを通じてアクセスする場合、加入者ＩＤを前記ユーザ機器に割り当てるように構成された割り当てユニットであって、前記加入者ＩＤは、フラグを含み、前記フラグの値は、既定値である、割り当てユニット
をさらに備え、
前記判定ユニットが、前記加入者ＩＤにおける前記フラグが既定値である場合、前記ユーザ機器は前記第２のＭＭＥプールのカバレッジ内のユーザ機器であると判定するように具体的に構成される、請求項１１に記載の装置。
【請求項１６】
前記ユーザ機器が、前記第１のＭＭＥに、前記第２のＭＭＥプールのカバレッジ内の基地局と前記第１のＭＭＥとの間のＳ１リンクを通じてアクセスする場合、加入者ＩＤを前記ユーザ機器に割り当てるように構成された割り当てユニットであって、前記加入者ＩＤは、Ｍ−ＴＭＳＩを含み、前記Ｍ−ＴＭＳＩの値は、プリセットの番号セグメント内である、割り当てユニット
をさらに備え、
前記判定ユニットが、前記加入者ＩＤにおける前記Ｍ−ＴＭＳＩが前記プリセットの番号セグメント内である場合、前記ユーザ機器は前記第２のＭＭＥプールのカバレッジ内のユーザ機器であると判定するように具体的に構成される、請求項１１に記載の装置。
【請求項１７】
前記オフローディングユニットが、ロードリバランシング手続きを使用することによって、前記ユーザ機器をオフロードする、又は
前記オフローディングユニットが、デタッチ動作を前記ユーザ機器に対して実行することによって、前記ユーザ機器をオフロードする、請求項１１から１６のいずれか一項に記載の装置。
【請求項１８】
前記オフローディングユニットが、前記ユーザ機器が前記第２のＭＭＥプールのカバレッジ内のユーザ機器であり、且つ、前記第１のＭＭＥが通知メッセージを受信する場合、前記ユーザ機器をオフロードするように構成され、前記通知メッセージは、前記第２のＭＭＥプールにおける第２のＭＭＥによって送信され、前記第２のＭＭＥプールが前記正常な状態に戻ったことを通知するために使用される、請求項１１から１７のいずれか一項に記載の装置。
【請求項１９】
前記第１のＭＭＥと第２のＭＭＥとの間のリンクが正常であるかを検出するように構成された検出ユニットであって、前記第２のＭＭＥは、前記第２のＭＭＥプールに位置する、検出ユニット
をさらに備え、
前記オフローディングユニットが、前記ユーザ機器が前記第２のＭＭＥプールのカバレッジ内のユーザ機器であり、且つ、前記検出ユニットが前記第１のＭＭＥと前記第２のＭＭＥとの間の前記リンクが正常であることを検出する場合、前記ユーザ機器をオフロードするように構成される、請求項１１から１７のいずれか一項に記載の装置。
【請求項２０】
コンピュータに、請求項１から１０のいずれか一項に記載の前記方法を実行させる、プログラム。
【手続補正２】
【補正対象書類名】明細書
【補正対象項目名】全文
【補正方法】変更
【補正の内容】
【発明の詳細な説明】
【技術分野】
【０００１】
本発明の実施形態は、通信技術の分野に関し、特に、ユーザ機器を管理するための方法、装置、及びシステムに関する。
【背景技術】
【０００２】
ワイヤレスブロードバンドの課題に対処し、第３世代パートナーシッププロジェクト（Ｔｈｅ  ３ｒｄ  ｇｅｎｅｒａｔｉｏｎ  ｐａｒｔｎｅｒｓｈｉｐ  ｐｒｏｊｅｃｔ，３ＧＰＰ）ネットワークの主要な利点を維持するために、３ＧＰＰは、モバイル通信ネットワークのためのロングタームエボリューション（ｌｏｎｇ  ｔｅｒｍ  ｅｖｏｌｕｔｉｏｎ，ＬＴＥ）スキームを定めている。この進化型スキームのガイダンスの下で、新たなモバイル通信ネットワークアーキテクチャ、つまり、ロングタームエボリューション／システムアーキテクチャエボリューション（Ｌｏｎｇ  Ｔｅｒｍ  Ｅｖｏｌｕｔｉｏｎ  ／Ｓｙｓｔｅｍ  Ａｒｃｈｉｔｅｃｔｕｒｅ  Ｅｖｏｌｕｔｉｏｎ，ＬＴＥ／ＳＡＥ）ネットワークシステムのアーキテクチャが定義されている。
【０００３】
図１は、従来技術におけるＬＴＥ／ＳＡＥネットワークシステムのアーキテクチャ図である。ＬＴＥ／ＳＡＥネットワークシステムは、進化型ノードＢ（ｅｖｏｌｖｅｄ  Ｎｏｄｅ  Ｂ，ｅＮＢ、進化型基地局とも称される）１０１と、これらの基地局を管理するモビリティマネジメントエンティティ／サービングゲートウェイ（Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ，ＭＭＥ／ＳＧＷ）１０２とを含む。ＭＭＥ／ＳＧＷ１０２とｅＮＢ１０１との間のＳ１リンクは、Ｓ１インターフェースを通じて確立され、ｅＮＢ１０１間のＸ２リンクは、Ｘ２インターフェースを通じて確立される。
【０００４】
具体的には、Ｓ１リンクは、制御プレーン機能とユーザプレーン機能とを含む、無線アクセスネットワークにおける無線リソースにアクセスする機能を提供する。Ｓ１リンクの制御プレーンインターフェース（Ｓ１−ＭＭＥ）は、ｅＮＢとＭＭＥとの間のアプリケーションプロトコルの機能を提供し、アプリケーションプロトコルメッセージを送信するために使用されるシグナリングベアリング機能を提供し、Ｓ１リンクのユーザプレーンインターフェース（Ｓ１−Ｕ）は、ｅＮＢとＳＧＷとの間でユーザプレーンデータを送信する機能を提供する。
【０００５】
ＬＴＥ／ＳＡＥシステムにおいて、１つのｅＮＢは、Ｓ１−ＭＭＥ接続を複数のＭＭＥと確立し得、複数のＭＭＥは、ＭＭＥプール（ＭＭＥ  ｐｏｏｌ）を形成する。ユーザ機器（ｕｓｅｒ  ｅｑｕｉｐｍｅｎｔ，ＵＥ）がｅＮＢからのネットワークにアクセスする場合、ｅＮＢは、ＭＭＥを選択して、ＵＥにサービスを提供し、専用のＳ１−ＭＭＥ接続を確立する。
【０００６】
ネットワーク信頼性を改善するために、異なる地理的ロケーションにおけるＭＭＥプールは、互いに冗長性を提供し得る。そのため、相互バックアップを提供するＭＭＥプール内のｅＮＢは、ローカルＭＭＥプールに接続し得、バックアップＭＭＥプールにも接続し得る。例えば、図２に示されるネットワーキングにおいて、ｅＮＢ２１０は、ＭＭＥプール２２０に接続し、ＭＭＥプール２３０にも接続し得る。ｅＮＢ２１０のカバレッジ内のＵＥにとって、ＭＭＥプール２２０は、ローカルＭＭＥプール（ｌｏｃａｌ  ＭＭＥ  ｐｏｏｌ）であり、ＭＭＥプール２３０は、バックアップＭＭＥプール（ｒｅｄｕｎｄａｎｃｙ  ＭＭＥ  ｐｏｏｌ又はｂａｃｋｕｐ  ＭＭＥ  ｐｏｏｌ）である。障害が、ＵＥによってアクセスされるローカルＭＭＥプール２２０において発生した場合、ローカルＭＭＥプール２２０のカバレッジ内のｅＮＢ２１０は、Ｓ１−ＭＭＥ接続をバックアップＭＭＥプール２３０と確立し、ローカルＭＭＥプール２２０のカバレッジ内のＵＥは、バックアップＭＭＥプール２３０へ移行される。
【０００７】
エリアベースのＭＭＥ管理ポリシーに基づいて、ローカルＭＭＥプール２２０が回復された場合、以前にバックアップＭＭＥプール２３０へ移行されたＵＥは、元のローカルＭＭＥプール２２０へ移行される必要がある。しかしながら、現在のところ、ＵＥがバックアップＭＭＥプールから元のローカルＭＭＥプールへ移行される場合、ＵＥ移行障害の問題に直面する。
【発明の概要】
【０００８】
このことに鑑みて、本発明の実施形態は、ユーザ機器を管理するための方法、装置、及びシステムを提供して、ユーザ機器がバックアップＭＭＥプールからローカルＭＭＥプールへ移行され損なうという問題に対処する。
【０００９】
第１の態様によれば、第１のモビリティマネジメントエンティティ（ＭＭＥ）によって、第１のＭＭＥにアクセスするユーザ機器が第２のＭＭＥプールのカバレッジ内のユーザ機器であるかを判定するステップであって、第１のＭＭＥは、第１のＭＭＥプールに位置し、第１のＭＭＥプールは、第２のＭＭＥプールのバックアップＭＭＥプールである、判定するステップと、第１のＭＭＥによって、ユーザ機器が第２のＭＭＥプールのカバレッジ内のユーザ機器であり、且つ、第２のＭＭＥプールが正常な状態にある場合、ユーザ機器をオフロードするステップとを含む、ユーザ機器を管理するための方法が提供される。
【００１０】
第１の態様の第１の取り得る実装において、第１のＭＭＥによって、第１のＭＭＥにアクセスするユーザ機器が第２のＭＭＥプールのカバレッジ内のユーザ機器であるかを判定するステップは、ユーザ機器によって登録されるトラッキングエリア情報に従って、ユーザ機器が第２のＭＭＥプールのカバレッジ内のユーザ機器であるかを判定するステップを含む。
【００１１】
第１の態様の第１の取り得る実装に関連して、第１の態様の第２の取り得る実装において、第１のＭＭＥによって、第１のＭＭＥにアクセスするユーザ機器が第２のＭＭＥプールのカバレッジ内のユーザ機器であるかを判定するステップの前に、本方法は、基地局によって報告されるトラッキングエリア情報を受信するステップであって、ユーザ機器が、基地局のカバレッジ内に存在する、受信するステップと、ユーザ機器によって登録され、ユーザ機器によって報告されるトラッキングエリア情報を受信するステップとをさらに含み、第１のＭＭＥによって、第１のＭＭＥにアクセスするユーザ機器が第２のＭＭＥプールのカバレッジ内のユーザ機器であるかを判定するステップが、基地局によって報告されるトラッキングエリア情報と、ユーザ機器によって登録されるトラッキングエリア情報とが一致するかを判定するステップと、基地局によって報告されるトラッキングエリア情報と、ユーザ機器によって登録されるトラッキングエリア情報とが一致する場合、ユーザ機器は第２のＭＭＥプールのカバレッジ内のユーザ機器であると判定するステップとを含む。
【００１２】
第１の態様の第１又は第２の取り得る実装に関連して、第１の態様の第３の取り得る実装において、ユーザ機器によって登録される前記トラッキングエリア情報は、トラッキングエリアＩＤ（ＴＡＩ）又はトラッキングエリアコード（ＴＡＣ）である。
【００１３】
第１の態様に関連して、第１の態様の第４の取り得る実装において、本方法は、ユーザ機器が、第１のＭＭＥに、第２のＭＭＥプールのカバレッジ内の基地局と第１のＭＭＥとの間のＳ１リンクを通じてアクセスする場合、加入者ＩＤをユーザ機器に割り当てるステップであって、加入者ＩＤは、フラグを含み、フラグの値は、既定値である、割り当てるステップをさらに含み、第１のＭＭＥによって、第１のＭＭＥにアクセスするユーザ機器が第２のＭＭＥプールのカバレッジ内のユーザ機器であるかを判定するステップが、加入者ＩＤにおけるフラグが既定値であるかを判定するステップと、フラグが既定値である場合、ユーザ機器が第２のＭＭＥプールのカバレッジ内のユーザ機器であると判定するステップとを含む。
【００１４】
第１の態様に関連して、第１の態様の第５の取り得る実装において、本方法は、ユーザ機器が第１のＭＭＥに第２のＭＭＥプールのカバレッジ内の基地局と第１のＭＭＥとの間のＳ１リンクを通じてアクセスする場合、加入者ＩＤをユーザ機器に割り当てるステップであって、加入者ＩＤは、Ｍ−ＴＭＳＩを含み、Ｍ−ＴＭＳＩの値は、プリセットの番号セグメント（preset number segment）内である、割り当てるステップをさらに含み、第１のＭＭＥによって、第１のＭＭＥにアクセスするユーザ機器が第２のＭＭＥプールのカバレッジ内のユーザ機器であるかを判定するステップが、加入者ＩＤにおけるＭ−ＴＭＳＩの値がプリセットの番号セグメント内であるかを判定するステップと、Ｍ−ＴＭＳＩの値がプリセットの番号セグメント内である場合、ユーザ機器は第２のＭＭＥプールのカバレッジ内のユーザ機器であると判定するステップとを含む。
【００１５】
第１の態様又は第１の態様の第１から第５の取り得る実装のうちの１つに関連して、第１の態様の第６の取り得る実装において、第１のＭＭＥによって、ユーザ機器をオフロードするステップは、第１のＭＭＥによって、ロードリバランシング手続きを開始して、ユーザ機器をオフロードするステップを含む。
【００１６】
第１の態様又は第１の態様の第１から第５の取り得る実装のうちの１つに関連して、第１の態様の第７の取り得る実装において、第１のＭＭＥによって、ユーザ機器をオフロードするステップは、第１のＭＭＥによって、デタッチ動作をユーザ機器に対して実行することによってユーザ機器をオフロードするステップを含む。
【００１７】
第１の態様又は第１から第７の取り得る実装のうちの１つに関連して、第１の態様の第８の取り得る実装において、第１のＭＭＥによって、ユーザ機器をオフロードするステップの前に、本方法は、第２のＭＭＥプールにおける第２のＭＭＥによって送信される通知メッセージを受信するステップであって、通知メッセージは、第２のＭＭＥプールが正常な状態に戻ったことを通知するために使用される、受信するステップをさらに含み、第１のＭＭＥによって、ユーザ機器をオフロードするステップが、第１のＭＭＥによって、ユーザ機器が第２のＭＭＥプールのカバレッジ内のユーザ機器であり、且つ、第１のＭＭＥが通知メッセージを受信する場合、ユーザ機器をオフロードするステップを含む。
【００１８】
第１の態様又は第１の態様の第１から第７の取り得る実装のうちの１つに関連して、第１の態様の第９の取り得る実装において、第１のＭＭＥによって、ユーザ機器をオフロードするステップの前に、本方法は、第１のＭＭＥと第２のＭＭＥとの間のリンクが正常であるかを検出するステップであって、第２のＭＭＥは、第２のＭＭＥプールに位置する、検出するステップをさらに含み、第１のＭＭＥによって、ユーザ機器をオフロードするステップが、第１のＭＭＥによって、ユーザ機器が第２のＭＭＥプールのカバレッジ内のユーザ機器であり、且つ、第１のＭＭＥと第２のＭＭＥとの間のリンクが正常であることが検出される場合、ユーザ機器をオフロードするステップを含む。
【００１９】
第１の態様又は第１の態様の第１から第９の取り得る実装のうちの１つに関連して、第１の態様の第１０の取り得る実装において、第１のＭＭＥによって、ユーザ機器をオフロードするステップは、ユーザ機器が第２のＭＭＥプールのカバレッジ内のユーザ機器であり、且つ、第２のＭＭＥプールが正常な状態にある場合、既定のネットワーク調整期間内に、ユーザ機器をオフロードするステップを含む。
【００２０】
第２の態様によれば、ユーザ機器を管理するための装置が提供され、第１のモビリティマネジメントエンティティ（ＭＭＥ）に適用される。ここで、第１のＭＭＥは、第１のＭＭＥプールに位置し、第１のＭＭＥプールは、第２のＭＭＥプールのバックアップＭＭＥプールである。本装置は、第１のＭＭＥにアクセスするユーザ機器が第２のＭＭＥプールのカバレッジ内のユーザ機器であるかを判定するように構成された判定ユニットと、ユーザ機器が第２のＭＭＥプールのカバレッジ内のユーザ機器であり、且つ、第２のＭＭＥプールが正常な状態にある場合、ユーザ機器をオフロードするように構成されたオフローディングユニットとを含む。
【００２１】
第２の態様の第１の取り得る実装において、判定ユニットは、ユーザ機器によって登録されるトラッキングエリア情報に従って、ユーザ機器が第２のＭＭＥプールのカバレッジ内のユーザ機器であるかを判定する。
【００２２】
第２の態様の第１の取り得る実装に関連して、第２の態様の第２の取り得る実装において、本装置は、基地局によって報告されるトラッキングエリア情報と、ユーザ機器によって登録され、ユーザ機器によって報告されるトラッキングエリア情報とを受信するように構成された受信ユニットであって、ユーザ機器は、基地局のカバレッジ内に存在する、受信ユニットをさらに含み、判定ユニットが、基地局によって報告されるトラッキングエリア情報とユーザ機器によって登録されるトラッキングエリア情報とが一致する場合、ユーザ機器は第２のＭＭＥプールのカバレッジ内のユーザ機器であると判定するように具体的に構成される。
【００２３】
第２の態様の第１又は第２の取り得る実装に関連して、第２の態様の第３の取り得る実装において、ユーザ機器によって登録されるトラッキングエリア情報は、トラッキングエリアＩＤ（ＴＡＩ）又はトラッキングエリアコード（ＴＡＣ）である。
【００２４】
第２の態様に関連して、第２の態様の第４の取り得る実装において、本装置は、ユーザ機器が第１のＭＭＥに第２のＭＭＥプールのカバレッジ内の基地局と第１のＭＭＥとの間のＳ１リンクを通じてアクセスする場合、加入者ＩＤをユーザ機器に割り当てるように構成された割り当てユニットであって、加入者ＩＤは、フラグを含み、フラグの値は、既定値である、割り当てユニットをさらに含み、判定ユニットが、加入者ＩＤにおけるフラグが既定値である場合、ユーザ機器は第２のＭＭＥプールのカバレッジ内のユーザ機器であると判定するように具体的に構成される。
【００２５】
第２の態様に関連して、第２の態様の第５の取り得る実装において、本装置は、ユーザ機器が第１のＭＭＥに第２のＭＭＥプールのカバレッジ内の基地局と第１のＭＭＥとの間のＳ１リンクを通じてアクセスする場合、加入者ＩＤをユーザ機器に割り当てるように構成された割り当てユニットであって、加入者ＩＤは、Ｍ−ＴＭＳＩを含み、Ｍ−ＴＭＳＩの値は、プリセットの番号セグメント内である、割り当てユニットをさらに含み、判定ユニットが、加入者ＩＤにおけるＭ−ＴＭＳＩがプリセットの番号セグメント内である場合、ユーザ機器は第２のＭＭＥプールのカバレッジ内のユーザ機器であると判定するように具体的に構成される。
【００２６】
第２の態様又は第２の態様の第１から第５の取り得る実装のうちの１つに関連して、第２の態様の第６の取り得る実装において、オフローディングユニットは、ロードリバランシング手続きを使用することによって、ユーザ機器をオフロードする。
【００２７】
第２の態様又は第２の態様の第１から第５の取り得る実装のうちの１つに関連して、第２の態様の第７の取り得る実装において、オフローディングユニットは、デタッチ動作をユーザ機器に対して実行することによって、ユーザ機器をオフロードする。
【００２８】
第２の態様又は第２の態様の第１から第７の取り得る実装のうちの１つに関連して、第２の態様の第８の取り得る実装において、オフローディングユニットは、ユーザ機器が第２のＭＭＥプールのカバレッジ内のユーザ機器であり、且つ、第１のＭＭＥが通知メッセージを受信する場合、ユーザ機器をオフロードするように構成され、通知メッセージは、第２のＭＭＥプールにおける第２のＭＭＥによって送信され、第２のＭＭＥプールが正常な状態に戻ったことを通知するために使用される。
【００２９】
第２の態様又は第２の態様の第１から第７の取り得る実装のうちの１つに関連して、第２の態様の第９の取り得る実装において、本装置は、第１のＭＭＥと第２のＭＭＥとの間のリンクが正常であるかを検出するように構成された検出ユニットであって、第２のＭＭＥは、第２のＭＭＥプールに位置する、検出ユニットをさらに含み、オフローディングユニットが、ユーザ機器が第２のＭＭＥプールのカバレッジ内のユーザ機器であり、且つ、検出ユニットが第１のＭＭＥと第２のＭＭＥとの間のリンクが正常であることを検出する場合、ユーザ機器をオフロードするように構成される。
【００３０】
第３の態様によれば、コンピュータ読取可能な媒体を含み、前記コンピュータ読取可能な媒体は、第１の態様又は第１の態様の実装のうちのいずれか１つに係る方法を実行するために使用されるプログラムコードのグループを含む、コンピュータプログラム製品が提供される。
【００３１】
第４の態様によれば、第１のＭＭＥプールに位置する第１のＭＭＥと、第２のＭＭＥプールに位置する第２のＭＭＥであって、前記第１のＭＭＥプールは、前記第２のＭＭＥプールのバックアップＭＭＥプールである、第２のＭＭＥと、前記第２のＭＭＥプールのカバレッジ内に位置する基地局であって、前記第２のＭＭＥプールとの接続を確立するように構成され、障害が前記第２のＭＭＥプールにおいて発生した場合、前記第１のＭＭＥプールとの接続を確立するように構成される、基地局と、前記第２のＭＭＥプールに前記基地局を通じてアクセスし、障害が前記第２のＭＭＥプールにおいて発生した場合、前記第１のＭＭＥプールに前記基地局を通じてアクセスするように構成されるユーザ機器と、第２の態様又は第２の態様の実装のうちのいずれか１つに係るユーザ機器を管理するための装置であって、前記第１のＭＭＥにおいて提供される、装置とを含む、通信システムが提供される。
【００３２】
前述の方法、装置、及びシステムにおいては、第１のＭＭＥプールが、第２のＭＭＥプールのバックアップＭＭＥプールであり、第２のＭＭＥプールにおいて障害が発生した場合、第２のＭＭＥプールのカバレッジ内のＵＥが、第１のＭＭＥプールにアクセスすることが分かる。第１のＭＭＥプールにおけるＭＭＥは、前述の方法を使用して、このＭＭＥにアクセスするＵＥが第２のＭＭＥプールからのものであるかを判定し、第２のＭＭＥプールが正常に戻った場合に、第２のＭＭＥプールからのものであるＵＥをオフロードし得る。このように、ＲＲＣ確立手続きにおいて、ｅＮＢが、第２のＭＭＥプールにおけるＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ＵＥがバックアップＭＭＥプールからローカルＭＭＥプールへ移行され損ねるという問題を解決することが分かる。
【００３３】
本発明の実施形態における技術的解決策をより明確に説明するために、下記は、実施形態を説明するために必要とされる添付の図面を簡単に紹介する。明らかに、下記の説明における添付の図面は、本発明の幾つかの実施形態を示しており、当業者は、創作的努力なしに、これらの添付の図面から他の図面を導き出し得る。
【図面の簡単な説明】
【００３４】
【図１】従来技術におけるＬＴＥ／ＳＡＥネットワークシステムのアーキテクチャ図である。
【図２】本発明の実施形態に係る通信システムの概略図である。
【図３】本発明の実施形態１に係る、ＵＥを管理するための方法のフローチャートである。
【図４】本発明の実施形態２に係る、ＵＥを管理するための方法のフローチャートである。
【図５】本発明の実施形態３に係る、ＵＥを管理するための方法の適用シナリオを例示する概略図である。
【図６】本発明の実施形態３に係る、ＵＥを管理するための方法の信号フローの図である。
【図７】本発明の実施形態６に係る、ＵＥを管理するための方法のフローチャートである。
【図８】本発明の実施形態７に係る、ＵＥを管理するための方法のフローチャートである。
【図９】本発明の実施形態８に係る、ＵＥを管理するための方法のフローチャートである。
【図１０】本発明の実施形態９に係る、ＵＥを管理するための方法のフローチャートである。
【図１１】本発明の実施形態１０に係る、ＵＥを管理するための装置の概略構造図である。
【図１２】本発明の実施形態１０に係る、ＵＥを管理するための別の装置の概略構造図である。
【図１３】本発明の実施形態１０に係る、ＵＥを管理するためのさらに別の装置の概略構造図である。
【図１４】本発明の実施形態１０に係る、ＵＥを管理するためのさらに別の装置の概略構造図である。
【図１５】本発明の実施形態１１に係るＭＭＥの概略構造図である。
【図１６】本発明の実施形態１１に係る別のＭＭＥの概略構造図である。
【発明を実施するための形態】
【００３５】
本発明の実施形態の課題、技術的解決策、及び利点をより明確にするために、下記は、本発明の実施形態における技術的解決策を、本発明の実施形態において添付の図面を参照しつつ、明確且つ完全に説明する。明らかに、説明される実施形態は、本発明の全部というよりもむしろ一部である。当業者によって、創作的努力なしに本発明の実施形態に基づいて得られる全ての他の実施形態は、本発明の保護範囲内に収まるべきものである。
【００３６】
現在のところ、障害がローカルＭＭＥプールにおいて発生した場合、ローカルＭＭＥプールのカバレッジ内のｅＮＢは、バックアップＭＭＥプールにおけるＭＭＥをポリシーに従って選択し、Ｓ１−ＭＭＥ接続を確立する。選択されたＭＭＥは、ＳＡＥ一時モバイル加入者ＩＤ（ＳＡＥ−ｔｅｍｐｏｒａｒｙ  ｍｏｂｉｌｅ  ｓｕｂｓｃｒｉｂｅｒ  ｉｄｅｎｔｉｔｙ，Ｓ−ＴＭＳＩ）又はグローバル一意一時ＩＤ（ｇｌｏｂａｌｌｙ  ｕｎｉｑｕｅ  ｔｅｍｐｏｒａｒｙ  ｉｄｅｎｔｉｔｙ，ＧＵＴＩ）をＵＥに割り当て、ここで、Ｓ−ＴＭＳＩ又はＧＵＴＩは、ＭＭＥに関する情報を含む。例えば、Ｓ−ＴＭＳＩは、ＭＭＥコード（ＭＭＥ  ｃｏｄｅ，ＭＭＥＣ）を含み、ＧＵＴＩは、グローバル一意ＭＭＥ  ＩＤ（ｇｌｏｂａｌｌｙ  ｕｎｉｑｕｅ  ＭＭＥ  ｉｄｅｎｔｉｔｙ，ＧＵＭＭＥＩ）を含む。ＵＥが無線リソース制御（ｒａｄｉｏ  ｒｅｓｏｕｒｃｅ  ｃｏｎｔｒｏｌ，ＲＲＣ）接続要求を開始するたびに、ＵＥは、ＭＭＥに関する情報（ＭＭＥＣ又はＧＵＭＭＥＩ）をこの要求に付加し、ｅＮＢは、ＭＭＥに関する付加された情報に従って、対応するＭＭＥをサービングＭＭＥと判定する。そのため、ＵＥによって登録されるトラッキングエリア（ｔｒａｃｋｉｎｇ  ａｒｅａ，ＴＡ）が変化しない限り、ＵＥがＲＲＣ接続を開始するたびに、ｅＮＢは、バックアップＭＭＥプールにおける前述の選択されたＭＭＥをサービングＭＭＥとして選択する。このように、ＵＥは、ローカルＭＭＥプールへ戻ることができず、それによって、ＵＥ移行障害を引き起こす。
【００３７】
前述の問題を考慮すると、下記の実施形態は、バックアップＭＭＥプールにおけるＭＭＥが、ローカルＭＭＥプールから移行されたＵＥを認識することを可能にする。また、ＭＭＥが、ローカルＭＭＥプールが正常に戻ったことを検出すると、ＭＭＥは、ＵＥをオフロードする。このように、ＵＥが元のローカルＭＭＥプールへ移行されることができるように、ｅＮＢは、ローカルＭＭＥプールにおけるＭＭＥをＵＥのためにポリシーに従って選択する。
【００３８】
下記の説明において、バックアップＭＭＥプールにおけるＭＭＥは、バックアップＭＭＥと称され、ローカルＭＭＥプールにおけるＭＭＥは、ローカルＭＭＥと称される。
【００３９】
留意すべき点は、バックアップＭＭＥプール及びローカルＭＭＥプールが、一般に、一定の距離によって地理的に分離される点である。この場合において、バックアップＭＭＥプールは、遠隔ＭＭＥプール（ｒｅｍｏｔｅ  ＭＭＥ  ｐｏｏｌ）とも称され、対応するバックアップＭＭＥは、遠隔ＭＭＥ（ｒｅｍｏｔｅ  ＭＭＥ）とも称される。
【００４０】
さらに、ローカルＭＭＥプール及びバックアップＭＭＥプールの機能は、互換性があり、ローカルＭＭＥ及びバックアップＭＭＥの機能も、互換性がある。異なるＭＭＥプールのカバレッジ内のＵＥの場合、それらのローカルＭＭＥプールとバックアップＭＭＥプールとは異なる。例えば、図２において、ｅＮＢ２１０のカバレッジ内のＵＥの場合、ローカルＭＭＥプールは、ＭＭＥプール２２０であり、バックアップＭＭＥプールは、ＭＭＥプール２３０である。また、ｅＮＢ２４０のカバレッジ内のＵＥの場合、ローカルＭＭＥプールは、ＭＭＥプール２３０であり、バックアップＭＭＥプールは、ＭＭＥプール２２０である。前記は、ＭＭＥプールが互いにバックアップを提供する場合を説明する。ただし、本発明の実施形態は、この場合に限定されることを意図されない。ＭＭＥプール２３０が、ＭＭＥプール２２０のバックアップとなってもよいし、別のＭＭＥプールが、ＭＭＥプール２３０のバックアップとなってもよい。
【００４１】
また、ＭＭＥプールは、１つのＭＭＥのみを含み得る。例えば、図２におけるＭＭＥプールの各々が１つのＭＭＥのみを含み、２つのＭＭＥが相互バックアップを提供し得、又は一方のＭＭＥが他方のＭＭＥのバックアップとなる場合が存在し得る。
【００４２】
留意すべき点は、この適用例の実施形態において、障害がＭＭＥプールにおいて発生した場合、それは、ＭＭＥプールにおける全てのＭＭＥがＭＭＥプールのカバレッジ内のＵＥに対してサービスを提供することができないということを意味し、ＭＭＥプールが正常に戻った場合又は正常な状態にある場合、それは、ＭＭＥプールにおける少なくとも１つのＭＭＥがＭＭＥプールのカバレッジ内のＵＥに対してサービスを提供することができるということを意味する点である。
【００４３】
図３は、本発明の実施形態１に係る、ＵＥを管理するための方法のフローチャートである。図３に示されるように、本方法は、下記のステップを含む。
【００４４】
Ｓ３０１：第１のＭＭＥは、第１のＭＭＥにアクセスするＵＥが第２のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００４５】
Ｓ３０２：ＵＥが、第２のＭＭＥプールのカバレッジ内のＵＥであり、且つ、第２のＭＭＥプールが、正常な状態にある場合、第１のＭＭＥは、ＵＥをオフロードする。
【００４６】
第１のＭＭＥプールは、第２のＭＭＥプールのバックアップＭＭＥプールであり、障害が第２のＭＭＥプールにおいて発生した場合、第２のＭＭＥプールのカバレッジ内のＵＥは、第１のＭＭＥプールにアクセスすることが分かる。第１のＭＭＥプールにおけるＭＭＥは、前述の方法を使用して、ＭＭＥにアクセスするＵＥが第２のＭＭＥプールからのものであるかを判定し、第２のＭＭＥプールが正常に戻った場合、第２のＭＭＥプールからのものであるＵＥをオフロードする。このように、ＲＲＣ確立手続きにおいて、ｅＮＢが第２のＭＭＥプールにおけるＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ＵＥがバックアップＭＭＥプールからローカルＭＭＥプールへ移行され損なうという問題を解決することが分かる。
【００４７】
留意すべき点は、この実施形態及び下記の実施形態におけるオフローディング（ｏｆｆ−ｌｏａｄ）が、Ｓ１接続及びＭＭＥとＵＥとの間のＲＲＣ接続を開放することを指す点である。また、第２のＭＭＥプールが正常に戻った場合、第１のＭＭＥは、第２のＭＭＥプールのカバレッジ内のＵＥを直ちにオフロードし得、又はネットワーク調整期間を設定し、その期間内にＵＥをオフロードし得る。ネットワーク調整期間は、比較的軽いトラフィックを有する期間、例えば、夜の１２時以降であってもよく、良好なユーザ経験を確保するために、異なるエリアに基づいて具体的に設定され得る。この実施形態において、前述のステップＳ３０２は、ネットワーク調整期間内に実行される。下記の全ての実施形態におけるオフローディング手続きは、ネットワーク調整期間内に実行されてもよく、このことは繰り返し説明されないであろう。
【００４８】
また、ｅＮＢがＭＭＥをＵＥのために選択するポリシーは、優先度、ネットワークトポロジ等に基づくＭＭＥ選択スキームであってもよく、このことは当業者には明らかであり、詳細は、ここでは繰り返し説明されない。
【００４９】
図４は、本発明の実施形態２に係る、ＵＥを管理するための方法のフローチャートである。図４に示されるように、本方法は、下記のステップを含む。
【００５０】
Ｓ４０１：第１のＭＭＥは、第１のＭＭＥにアクセスするＵＥが第１のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００５１】
Ｓ４０２：ＵＥが、第１のＭＭＥプールのカバレッジ内のＵＥではなく、且つ、第２のＭＭＥプールが、正常な状態にある場合、第１のＭＭＥは、ＵＥをオフロードする。
【００５２】
前述の方法は、第１のＭＭＥプールが１つの第２のＭＭＥプールのみにバックアップを提供する（つまり、任意の他のＭＭＥプールにバックアップを提供しない）場合に適用可能である。この場合において、ＵＥが、第１のＭＭＥプールのカバレッジ内のＵＥではない場合、ＵＥは、第２のＭＭＥプールのカバレッジ内のＵＥである。そのため、第２のＭＭＥプールが正常に動作する場合、第１のＭＭＥプールのカバレッジ内に存在しないＵＥは、オフロードされる。
【００５３】
さらに、前述の方法は、第１のＭＭＥプールが複数のＭＭＥプールにバックアップを提供する、つまり、複数の第２のＭＭＥプールが存在する場合にも適用可能である。この場合において、全ての第２のＭＭＥプールが正常に動作する場合、第１のＭＭＥプールにおけるＭＭＥは、第１のＭＭＥプールのカバレッジ内に存在しないＵＥをオフロードする。
【００５４】
この実施形態における第１のＭＭＥプールにおけるＭＭＥは、前述の方法を使用して、ＭＭＥにアクセスするＵＥが第１のＭＭＥプールのカバレッジ内のＵＥであるかを判定し得、第２のＭＭＥプールが正常に戻った場合、第１のＭＭＥプールのカバレッジ内に存在しないＵＥは、オフロードされることが分かる。このように、ＲＲＣ確立手続きにおいて、ｅＮＢが第２のＭＭＥプールにおける対応するＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ユーザ機器がバックアップＭＭＥプールからローカルＭＭＥプールへ移行され損なうという問題を解決する。
【００５５】
前述の実施形態において、第１のＭＭＥは、第１のＭＭＥにアクセスするＵＥがローカルＵＥ（つまり、第１のＭＭＥプールのカバレッジ内のＵＥ）又は遠隔の移行されたＵＥ（つまり、第２のＭＭＥプールのカバレッジ内のＵＥ）であるかを、ＵＥによって登録されるＴＡ情報に従って、又はＵＥに割り当てられたＩＤに付加されるフラグに従って、又はＩＤを割り当てられたＵＥがローカルＵＥ若しくは遠隔の移行されたＵＥであるかに応じて変化するＩＤコンテンツに従って、区別し得る。下記は、詳細な説明を、具体例を使用することによって与える。
（実施例３）
【００５６】
この実施形態においては、ＵＥによって登録されるＴＡ情報が使用されて、第１のＭＭＥにアクセスするＵＥがローカルＵＥ又は遠隔の移行されたＵＥであるかが区別される。
【００５７】
この場合においては、第１のＭＭＥが、第１のＭＭＥにアクセスするＵＥが第２のＭＭＥプールのカバレッジ内のＵＥであるかを判定する前述のステップＳ３０１は、ＵＥが第２のＭＭＥプールのカバレッジ内のＵＥであるかを、ＵＥによって登録されるＴＡ情報に従って判定するステップを含む。
【００５８】
具体的には、ＵＥは、ＵＥによって登録されるＴＡ情報を、第１のＭＭＥへ、Ｓ１インターフェースメッセージを使用することによって報告し得る。例えば、アタッチ手続きにおいて、ＵＥは、ＵＥによって登録されるＴＡ情報を、第１のＭＭＥへ、アタッチ要求（ａｔｔａｃｈ  ｒｅｑｕｅｓｔ）メッセージを使用することによって報告する。また、ｅＮＢが、Ｓ１−ＭＭＥ接続を第１のＭＭＥと確立する場合、ｅＮＢは、ｅＮＢが位置するＴＡに関する情報を第１のＭＭＥへ報告し得る。例えば、ｅＮＢは、ＴＡ情報を、第１のＭＭＥへ、Ｓ１アプリケーションプロトコル（Ｓ１  Ａｐｐｌｉｃａｔｉｏｎ  Ｐｒｏｔｏｃｏｌ，Ｓ１ＡＰ）メッセージをＳ１ハンドオーバ手続きにおいて使用することによって報告し得る。このように、第１のＭＭＥは、ＵＥによって報告されるＴＡ情報とｅＮＢによって報告されるＴＡ情報とを比較し、どのＳ１リンクからＵＥがハンドオーバされるかを判定し、それによって、ＵＥが第２のＭＭＥプールのカバレッジ内のＵＥであるかを判定し得る。
【００５９】
留意すべき点は、ＵＥがアタッチ（ａｔｔａｃｈ）手続きに加えてトラッキングエリア更新（ｔｒａｃｋｉｎｇ  ａｒｅａ  ｕｐｄａｔｅ，ＴＡＵ）などの手続きを使用することによってＴＡ情報を報告し得る点であるが、これに対して、本発明の実施形態は、いかなる限定も課さない。また、本発明のこの実施形態は、ＴＡ情報をｅＮＢによって報告するプロセスに対しても、いかなる限定も課さない。
【００６０】
トラッキングエリア情報（ＵＥによって登録されるＴＡ情報と、基地局によって報告されるＴＡ情報とを含む）は、トラッキングエリアＩＤ（ｔｒａｃｋｉｎｇ  ａｒｅａ  ｉｄｅｎｔｉｔｙ，ＴＡＩ）又はトラッキングエリアコード（ｔｒａｃｋｉｎｇ  ａｒｅａ  ｃｏｄｅ，ＴＡＣ）であり得る。
【００６１】
図５は、本発明の実施形態３に係る、ＵＥを管理するための方法の適用シナリオを例示する概略図である。図５に示されるように、第２のＭＭＥプール５２０のためのバックアップを提供する第１のＭＭＥプール５１０と、第２のＭＭＥプール５２０とは、一定の距離によって地理的に分離されている。トラッキングエリアＴＡ３は、第１のＭＭＥプール５１０のカバレッジ５１１内に存在し、基地局ｅＮＢ５及びｅＮＢ６は、トラッキングエリアＴＡ３に配置されている。トラッキングエリアＴＡ１及びＴＡ２は、第２のＭＭＥプール５２０のカバレッジ５２１内に存在し、基地局ｅＮＢ１及びｅＮＢ２は、トラッキングエリアＴＡ１に配置され、基地局ｅＮＢ３及びｅＮＢ４は、トラッキングエリアＴＡ２に配置されている。第１のＭＭＥプール５１０と第２のＭＭＥプール５２０とは地理的に分離されているため、第１のＭＭＥプール５１０のトラッキングエリアＴＡ３は、第２のＭＭＥプール５２０のトラッキングエリアＴＡ１及びＴＡ２とは異なる。そのため、ＵＥは、トラッキングエリア情報に従って区別され得る。
【００６２】
図５と図６に示される信号フローとを参照しつつ、下記は、この実施形態においてＵＥを管理するための方法を詳細に説明する。
【００６３】
例えば、第２のＭＭＥプールのカバレッジ５２１内のＵＥ５３０は、トラッキングエリアＴＡ１に登録し、第２のＭＭＥプール５２０に基地局ｅＮＢ２を通じてアクセスする。障害が第２のＭＭＥプール５２０において発生した場合、基地局ｅＮＢ２は、第１のＭＭＥプール５１０におけるＭＭＥを、基地局ｅＮＢ２のポリシーに従って、例えば、選択されるべきＭＭＥが前述の第１のＭＭＥであるというポリシーに従って選択し、Ｓ１−ＭＭＥ接続を第１のＭＭＥ（Ｓ６１０）と確立する。Ｓ１−ＭＭＥ接続確立手続きにおいて、ｅＮＢは、ｅＮＢ２が位置するＴＡ１に関するＴＡ情報（ＴＡＩがここでは例として使用される）を第１のＭＭＥへ報告する。次いで、ＵＥ５３０が第１のＭＭＥにアクセスすると、ＵＥ５３０は、Ｓ１インターフェースメッセージを使用することによって、ＵＥ５３０によって登録されるＴＡのＴＡＩを報告し（Ｓ６２０）、第１のＭＭＥは、Ｓ−ＴＭＳＩ又はＧＵＴＩなどのＵＥ  ＩＤをＵＥ５３０に割り当てる（Ｓ６３０）。ここで、割り当てられたＵＥ  ＩＤは、ＭＭＥＣ又はＧＵＭＭＥＩなどの、第１のＭＭＥに関する情報を含む。アタッチ手続きを例として使用すると、ステップＳ６２０は、アタッチ要求（ａｔｔａｃｈ  ｒｅｑｕｅｓｔ）メッセージを送信するプロセスであり、ここで、アタッチ要求メッセージは、ＴＡＩを伝達する。ステップＳ６３０は、アタッチ承認（ａｔｔａｃｈ  ａｃｃｅｐｔ）メッセージを送信するプロセスであり、ここで、アタッチ承認メッセージは、Ｓ−ＴＭＳＩ又はＧＵＴＩを伝達する。
【００６４】
第２のＭＭＥプール５２０が正常に戻ると、第１のＭＭＥプール５１０のＴＡと第２のＭＭＥプール５２０のＴＡとは異なるため、第１のＭＭＥは、ＵＥ５３０によって報告されるＴＡＩに従って、第１のＭＭＥプール５１０から移行されたＵＥ５３０を認識し（Ｓ６４０）、ＵＥ５３０をオフロードする（Ｓ６５０）。Ｓ１及びＲＲＣ接続が解放された後、オフロードされたＵＥ５３０は、ＲＲＣ接続確立要求を開始する（Ｓ６６０）。この場合には、ＲＲＣ確立手続きにおいて、ＵＥ５３０は、もはやＭＭＥＣ又はＧＵＭＭＥＩ情報をＲＲＣ接続要求に付加せず、基地局ｅＮＢ２は、第２のＭＭＥプールにおけるＭＭＥをＵＥ５３０のためにｅＮＢ２のポリシーに従って選択し、Ｓ１−ＭＭＥ接続を確立し得（Ｓ６７０）、それによって、バックアップＭＭＥプールからローカルＭＭＥプールへのＵＥの成功裡の移行を実装する。
【００６５】
留意すべき点は、ＵＥによって登録されるＴＡ情報に従って、第１のＭＭＥにアクセスするＵＥがローカルＵＥであるか又は遠隔の移行されたＵＥであるかが区別される場合、第１のＭＭＥが、第１のＭＭＥにアクセスするＵＥが第１のＭＭＥプールのカバレッジ内のＵＥであるかを判定する、前述の実施形態２におけるステップＳ４０１は、ＵＥが第１のＭＭＥプールのカバレッジ内のＵＥであるかを、ＵＥによって登録されるＴＡ情報に従って判定するステップを含む点である。
【００６６】
第１のＭＭＥは、第１のＭＭＥプールのＴＡ情報を知り得るため、第１のＭＭＥは、ＵＥが第１のＭＭＥプールのカバレッジ内のＵＥであるかを、ＵＥによって報告されるＴＡ情報と第１のＭＭＥプールのＴＡ情報とを比較することによって判定し得る。
（実施例４）
【００６７】
この実施形態においては、第１のＭＭＥがＩＤをＵＥに割り当てる場合、第１のＭＭＥは、第１のＭＭＥにアクセスするＵＥがローカルＵＥであるか又は遠隔の移行されたＵＥであるかを区別するために、フラグをＩＤに付加する。
【００６８】
具体的には、ＵＥが第１のＭＭＥにアクセスする場合、第１のＭＭＥは、ＵＥが第２のＭＭＥプールのカバレッジ内のユーザ機器であるかを識別するために、又はＵＥが第１のＭＭＥに第２のＭＭＥプールのカバレッジ内の基地局と第１のＭＭＥとの間のＳ１リンクを通じてアクセスするかを識別するために、ＵＥに割り当てられる加入者ＩＤにフラグを付加する。例えば、ＵＥが、第１のＭＭＥに、第２のＭＭＥプールのカバレッジ内の基地局と第１のＭＭＥとの間のＳ１リンクを通じてアクセスする場合、フラグは「１」に設定される。そうでない場合、フラグは「０」に設定される。
【００６９】
このように、第２のＭＭＥプールが正常に戻る場合、第１のＭＭＥは、第１のＭＭＥにアクセスするユーザ機器の加入者ＩＤにおけるフラグに従って、第２のＭＭＥプールから移行されたＵＥをオフロードし得る。
【００７０】
例えば、第１のＭＭＥは、加入者ＩＤをＵＥにアタッチ要求において又はＴＡＵ手続きにおいて割り当て得る。また、割り当てられる加入者ＩＤは、前述の実施形態におけるものと同じであり、Ｓ−ＴＭＳＩ又はＧＵＴＩであり得る。
【００７１】
この実施形態は、フラグにおけるビットの数を限定しない。しかしながら、１ビットは、一般に、目的を果たすために充分である。Ｓ−ＴＭＳＩを例として使用すると、Ｓ−ＴＭＳＩは、ＭＭＥＣと、ＭＭＥモバイル加入者ＩＤ（ＭＭＥ−ｔｅｍｐｏｒａｒｙ  ｍｏｂｉｌｅ  ｓｕｂｓｃｒｉｂｅｒ  ｉｄｅｎｔｉｔｙ，Ｍ−ＴＭＳＩ）とによって形成される。Ｍ−ＴＭＳＩにおける専用ビットは、フラグとして使用されて、どのＳ１リンクにＵＥが由来するかが区別され得る。
【００７２】
この実施形態は、前述の実施形態１と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、フラグを含み、ＵＥが第１のＭＭＥに第２のＭＭＥプールのカバレッジ内の基地局と第１のＭＭＥとの間のＳ１リンクを通じてアクセスする場合、フラグを既定値に設定する、割り当てるステップ
をさらに含み、
対応して、第１のＭＭＥが、第１のＭＭＥにアクセスするＵＥが第２のＭＭＥプールのカバレッジ内のＵＥであるかを判定する、前述のステップＳ３０１は、
加入者ＩＤにおけるフラグが既定値であるかを判定するステップと、
フラグが既定値である場合、ＵＥは第２のＭＭＥプールのカバレッジ内のＵＥであると判定するステップと
を含む。
【００７３】
対応して、前述のステップＳ３０２が実行されて、ＵＥがオフロードされる。
【００７４】
この実施形態は、前述の実施形態２と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、フラグを含み、ＵＥが第１のＭＭＥに第２のＭＭＥプールのカバレッジ内の基地局と第１のＭＭＥとの間のＳ１リンクを通じてアクセスする場合、フラグを既定値に設定する、割り当てるステップ
をさらに含み、
対応して、第１のＭＭＥが、第１のＭＭＥにアクセスするＵＥが第１のＭＭＥプールのカバレッジ内のＵＥであるかを判定する、前述のステップＳ４０１は、
加入者ＩＤにおけるフラグが既定値であるかを判定するステップと、
フラグが既定値である場合、ＵＥは第１のＭＭＥプールのカバレッジ内のＵＥではないと判定するステップと
をさらに含む。
【００７５】
対応して、前述のステップＳ４０２が実行されて、ＵＥがオフロードされる。
（実施例５）
【００７６】
この実施形態においては、第１のＭＭＥがＩＤをＵＥに割り当てる場合、第１のＭＭＥは、そのＩＤの異なるコンテンツも使用して、第１のＭＭＥにアクセスするＵＥがローカルＵＥであるか又は遠隔の移行されたＵＥであるかを区別し得る。
【００７７】
例えば、第１のＭＭＥは、第１のＭＭＥにアクセスするＵＥがローカルＵＥであるか又は遠隔の移行されたＵＥであるかを判定するために、専用のＭ−ＴＭＳＩセグメントを、第２のＭＭＥプールから移行されたＵＥに割り当て得る。
【００７８】
例えば、Ｍ−ＴＭＳＩは、３２ビットを有し、このうち、０から２ｎは、第１のＭＭＥにアクセスするＵＥに割り当てられ得、ここで、０＜ｎ＜３２であり、２ｎ＋１から２３２−ｎは、第１のＭＭＥにアクセスする遠隔の移行されたＵＥに割り当てられる。このように、第１のＭＭＥは、Ｍ−ＴＭＳＩに従って、第１のＭＭＥにアクセスするＵＥが第２のＭＭＥプールのカバレッジ内のＵＥであるかを判定し得る。
【００７９】
この実施形態は、前述の実施形態１と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、Ｍ−ＴＭＳＩを含み、ＵＥが第１のＭＭＥに第２のＭＭＥプールのカバレッジ内の基地局と第１のＭＭＥとの間のＳ１リンクを通じてアクセスする場合、Ｍ−ＴＭＳＩの値は、プリセットの番号セグメント内である、割り当てるステップ
をさらに含み、
対応して、第１のＭＭＥが、第１のＭＭＥにアクセスするＵＥが第２のＭＭＥプールのカバレッジ内のＵＥであるかを判定する、前述のステップＳ３０１は、
加入者ＩＤにおけるＭ−ＴＭＳＩの値がプリセットの番号セグメント内であるかを判定するステップと、
Ｍ−ＴＭＳＩの値がプリセットの番号セグメント内である場合、ＵＥは第２のＭＭＥプールのカバレッジ内のＵＥであると判定するステップ
を含む。
【００８０】
対応して、前述のステップＳ３０２が実行されて、ＵＥがオフロードされる。
【００８１】
この実施形態は、前述の実施形態２と組み合わされてもよく、この場合には、ＵＥを管理するための前述の方法は、
ＵＥが第１のＭＭＥにアクセスする場合、加入者ＩＤをＵＥに割り当てるステップであって、加入者ＩＤは、Ｍ−ＴＭＳＩを含み、ＵＥが第１のＭＭＥに第２のＭＭＥプールのカバレッジ内の基地局と第１のＭＭＥとの間のＳ１リンクを通じてアクセスする場合、Ｍ−ＴＭＳＩの値は、プリセットの番号セグメント内である、割り当てるステップ
をさらに含み、
対応して、第１のＭＭＥが、第１のＭＭＥにアクセスするＵＥが第１のＭＭＥプールのカバレッジ内のＵＥであるかを判定する、前述のステップＳ４０１は、
加入者ＩＤにおけるＭ−ＴＭＳＩの値が、プリセットの番号セグメント内であるかを判定するステップと、
Ｍ−ＴＭＳＩの値がプリセットの番号セグメント内である場合、ＵＥは第１のＭＭＥプールのカバレッジ内のＵＥではないと判定するステップと
を含む。
【００８２】
対応して、前述のステップＳ４０２が実行されて、ＵＥがオフロードされる。
【００８３】
留意すべき点は、前述の実施形態において、ＵＥをオフローディングすることが、ロードリバランシング手続き又はデタッチ手続きを使用することによって実装され得る点である。下記は、実施形態６及び実施形態７を参照しつつ、説明を与えており、実施形態６及び実施形態７は、前述の実施形態のうちの任意の１つと組み合わされ得る。
（実施例６）
ロードリバランシング手続きを用いたＵＥのオフローディング
【００８４】
図７は、本発明の実施形態６に係る、ＵＥを管理するための方法のフローチャートである。図７に示されるように、本方法は、下記のステップを含む。
【００８５】
Ｓ７０１：第１のＭＭＥは、第１のＭＭＥにアクセスするＵＥが第２のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００８６】
Ｓ７０２：ＵＥが、第２のＭＭＥプールのカバレッジ内のＵＥであり、且つ、第２のＭＭＥプールが、正常な状態にある場合、第１のＭＭＥは、ロードリバランシング（ｌｏａｄ  ｒｅ−ｂａｌａｎｃｉｎｇ）手続きを開始する。
【００８７】
ロードリバランシング手続きを用いることで、Ｓ１接続及びＵＥとＭＭＥとの間のＲＲＣ接続が、開放され得る。Ｓ１接続及びＲＲＣ接続が解放された後、ＵＥは、ＴＡＵ手続きを開始する。この場合には、ＲＲＣ確立手続きにおいて、ＵＥは、もはやＳ−ＴＭＳＩ又はＧＵＭＭＥＩ情報をＲＲＣ接続要求に付加せず、ｅＮＢは、第１のＭＭＥプールにおけるＭＭＥをＵＥのためにｅＮＢのポリシーに従って選択し、Ｓ１−ＭＭＥ接続を確立し得る。
（実施例７）
デタッチ手続きを用いたＵＥのオフローディング
【００８８】
図８は、本発明の実施形態７に係る、ＵＥを管理するための方法のフローチャートである。図８に示されるように、本方法は、下記のステップを含む。
【００８９】
Ｓ８０１：第１のＭＭＥは、第１のＭＭＥにアクセスするＵＥが第２のＭＭＥプールのカバレッジ内のＵＥであるかを判定する。ここで、第１のＭＭＥは、第１のＭＭＥプールに位置し、第１のＭＭＥプールは、第２のＭＭＥプールのバックアップＭＭＥプールである。
【００９０】
Ｓ８０２：ＵＥが、第２のＭＭＥプールのカバレッジ内のＵＥであり、且つ、第２のＭＭＥプールが、正常な状態にある場合、第１のＭＭＥは、デタッチ（ｄｅｔａｃｈ）動作をＵＥに対して実行する。
【００９１】
デタッチ動作がＵＥに対して実行された後、Ｓ１接続及びＵＥとＭＭＥとの間のＲＲＣ接続が、解放され得る。Ｓ１接続及びＲＲＣ接続が解放された後、ＵＥは、ＴＡＵ手続きを開始する。この場合には、ＲＲＣ確立手続きにおいて、ＵＥは、もはやＳ−ＴＭＳＩ又はＧＵＭＭＥＩ情報をＲＲＣ接続要求に付加せず、ｅＮＢは、第１のＭＭＥプールにおけるＭＭＥをＵＥのためにｅＮＢのポリシーに従って選択し、Ｓ１−ＭＭＥ接続を確立し得る。
【００９２】
留意すべき点は、前述の実施形態において、第１のＭＭＥをトリガしてＵＥをオフロードするための方法は、第２のＭＭＥプールが正常に戻った後、第１のＭＭＥをトリガするためのコマンドを手動で実行して、第２のＭＭＥプールからのものであるＵＥをオフロードすることであり得る点である。本方法は、ＭＭＥ間のインターフェースメッセージを使用して、第１のＭＭＥをトリガして、ＵＥをオフロードすること、つまり、第２のＭＭＥプールが、第１のＭＭＥに、第２のＭＭＥプールの状態が変化するときに通知することであってもよい。このように、第２のＭＭＥプールが正常に戻る場合、第１のＭＭＥは、ロードリバランシング手続き又はデタッチ手続きを積極的に開始して、第２のＭＭＥプールからのものであるＵＥをオフロードし得る。本方法は、ＭＭＥによって、ＭＭＥ間のリンク（Ｓ１０リンク）の状態を周期的に検出し、リンクの状態に従って、第１のＭＭＥをトリガして、第２のＭＭＥプールからのものであるＵＥをオフロードすることであってもよい。例えば、第１のＭＭＥが、第１のＭＭＥと第２のＭＭＥプールにおける第２のＭＭＥとの間のＳ１０リンクが障害状態から正常な状態へ変化したことを検出する場合、第１のＭＭＥは、ロードリバランシング手続き又はデタッチ手続きを積極的に開始して、第２のＭＭＥプールからのものであるＵＥをオフロードする。下記は、実施形態８及び実施形態９を参照しつつ、説明を与え、実施形態８及び実施形態９は、前述の実施形態のうちの任意の１つと組み合わされ得る。
（実施例８）
【００９３】
ＭＭＥ間のインターフェースメッセージは、第１のＭＭＥをトリガしてＵＥをオフロードするために使用される。つまり、第２のＭＭＥプールは、第１のＭＭＥに、第２のＭＭＥプールの状態が変化するときに通知する。このように、第２のＭＭＥプールが正常に戻る場合、第１のＭＭＥは、ロードリバランシング手続き又はデタッチ手続きを積極的に開始して、第２のＭＭＥプールからのものであるＵＥをオフロードし得る。
【００９４】
図９は、本発明の実施形態８に係る、ＵＥを管理するための方法のフローチャートである。図９に示されるように、本方法は、下記のステップを含む。
【００９５】
Ｓ９０１：第１のＭＭＥは、第２のＭＭＥプールにおける第２のＭＭＥによって送信される通知メッセージを受信する。ここで、通知メッセージは、第１のＭＭＥに、第２のＭＭＥプールが正常な状態に戻ったことを通知するために使用される。
【００９６】
Ｓ９０２：第１のＭＭＥは、第１のＭＭＥにアクセスするＵＥが第２のＭＭＥプールのカバレッジ内のＵＥであるかを判定する。
【００９７】
Ｓ９０３：ＵＥが、第２のＭＭＥプールのカバレッジ内のＵＥである場合、第１のＭＭＥは、ＵＥをオフロードする。
【００９８】
前述のステップＳ９０２及びＳ９０３は、実施形態２におけるステップＳ４０２及びＳ４０３と置換されてもよく、詳細は、ここでは繰り返し説明されない。
（実施例９）
【００９９】
ＭＭＥは、ＭＭＥ間のリンク（Ｓ１０リンク）の状態を周期的に検出し、第２のＭＭＥプールからのものであるＵＥをオフローディングすることは、そのリンクの状態に従ってトリガされる。
【０１００】
図１０は、本発明の実施形態９に係る、ＵＥを管理するための方法のフローチャートである。図１０に示されるように、本方法は、下記のステップを含む。
【０１０１】
Ｓ１０１：第１のＭＭＥは、第１のＭＭＥと第２のＭＭＥとの間のリンクが正常であるかを検出する。ここで、第２のＭＭＥは、第２のＭＭＥプールに位置する。
【０１０２】
Ｓ１０２：第１のＭＭＥは、第１のＭＭＥにアクセスするＵＥが第２のＭＭＥプールのカバレッジ内のＵＥであるかを判定する。
【０１０３】
Ｓ１０３：ＵＥが、第２のＭＭＥプールのカバレッジ内のＵＥであり、且つ、第１のＭＭＥと第２のＭＭＥとの間のリンクが正常であることが検出される場合、第１のＭＭＥは、ＵＥをオフロードする。
【０１０４】
留意すべき点は、前述の第２のＭＭＥが、特定のＭＭＥを指さず、一般的な意味において第２のＭＭＥプールにおけるＭＭＥを指す点である。さらに、第１のＭＭＥは、周期的に又はイベントをトリガすることに応答して、第１のＭＭＥと第２のＭＭＥとの間のリンクが正常であるかを検出し得る。例えば、第１のＭＭＥが、第１のＭＭＥにアクセスするＵＥは第２のＭＭＥプールのカバレッジ内のＵＥを含むと判定する場合、第１のＭＭＥは、前述のリンクが正常であるかを周期的に検出し始める。この実施形態は、実施形態８と組み合わされてもよい。第２のＭＭＥは、通知メッセージを送信して、第２のＭＭＥの状態における変化を通知する。通知メッセージに従って、障害が第２のＭＭＥプールにおいて発生していることを知ると、第１のＭＭＥは、前述のリンクが正常であるかを周期的に検出し始める。
【０１０５】
前述のステップＳ１０２及びＳ１０３は、実施形態２におけるステップＳ４０２及びＳ４０３と置換されてもよく、詳細は、ここでは繰り返し説明されない。
（実施例１０）
【０１０６】
図１１は、本発明の実施形態１０に係る、ＵＥを管理するための装置の概略構造図である。装置１１０は、第１のＭＭＥに適用され、実施形態１から実施形態９に係る方法のうちのいずれか１つを実行するように構成される。第１のＭＭＥは、第１のＭＭＥプールに位置し、第１のＭＭＥプールは、第２のＭＭＥプールのバックアップＭＭＥプールである。図１１に示されるように、装置１１０は、判定ユニット１１１と、オフローディングユニット１１２とを含む。ここで、判定ユニット１１１は、第１のＭＭＥにアクセスするＵＥが第２のＭＭＥプールのカバレッジ内のＵＥであるかを判定するように構成される。オフローディングユニット１１２は、ＵＥが第２のＭＭＥプールのカバレッジ内のＵＥであり、且つ、第２のＭＭＥプールが正常な状態にある場合に、ＵＥをオフロードするように構成される。
【０１０７】
第１のＭＭＥプールは、第２のＭＭＥプールのバックアップＭＭＥプールであり、障害が第２のＭＭＥプールにおいて発生した場合、第２のＭＭＥプールのカバレッジ内のＵＥは、第１のＭＭＥプールにアクセスすることが分かる。第１のＭＭＥプールにおけるＭＭＥは、前述の装置１１０を使用して、ＭＭＥにアクセスするＵＥが第２のＭＭＥプールからのものであるかを判定し、第２のＭＭＥプールが正常に戻った場合、第２のＭＭＥプールからのものであるＵＥをオフロードし得る。このように、ＲＲＣ確立手続きにおいては、ｅＮＢが第２のＭＭＥプールにおけるＭＭＥをＵＥのためにｅＮＢのポリシーに従って選択し、Ｓ１−ＭＭＥ接続を確立し得るように、ＵＥは、もはや第１のＭＭＥプールにおけるＭＭＥに関する情報をＲＲＣ接続要求に付加しない。前述の方法を使用することによって、第２のＭＭＥプールから第１のＭＭＥプールへ移行されたＵＥは、第２のＭＭＥプールへ戻ることができ、それによって、ＵＥがバックアップＭＭＥプールからローカルＭＭＥプールへ移行され損なうという問題を解決することが分かる。
【０１０８】
前述の実施形態３におけるように、判定ユニット１１１は、ＵＥが第２のＭＭＥプールのカバレッジ内のＵＥであるかを、ＵＥによって登録されるＴＡ情報に従って、具体的に判定し得る。
【０１０９】
この場合においては、図１２に示されるように、前述の装置１１０は、基地局によって報告されるＴＡ情報と、ＵＥによって登録され、ＵＥによって報告されるＴＡ情報とを受信するように構成された受信ユニット１１３をさらに含み得る。ここで、ユーザ機器は、基地局のカバレッジ内に存在する。判定ユニット１１１は、基地局によって報告されるＴＡ情報がＵＥによって登録されるＴＡ情報と一致する場合、ＵＥは第２のＭＭＥプールのカバレッジ内のＵＥであると判定するように具体的に構成される。このように、オフローディングユニット１１２は、ＵＥをオフロードし得る。
【０１１０】
前述のＴＡ情報は、ＵＥによって登録されるＴＡ情報と、基地局によって報告されるＴＡ情報とを含み、ＴＡＩ又はＴＡＣであり得る。
【０１１１】
前述の実施形態４におけるように、判定ユニット１１１は、ＵＥが第２のＭＭＥプールのカバレッジ内のＵＥであるかを、ＵＥの加入者ＩＤに従って判定し得る。
【０１１２】
この場合においては、図１３に示されるように、前述の装置１１０は、ＵＥが第１のＭＭＥに第２のＭＭＥプールのカバレッジ内の基地局と第１のＭＭＥとの間のＳ１リンクを通じてアクセスする場合に、加入者ＩＤをＵＥに割り当てるように構成された割り当てユニット１１４をさらに含み得る。ここで、加入者ＩＤは、フラグを含み、フラグの値は、既定値である。判定ユニット１１１は、加入者ＩＤにおけるフラグが既定値である場合、ＵＥは第２のＭＭＥプールのカバレッジ内のＵＥであると判定するように具体的に構成される。
【０１１３】
前述の実施形態５におけるように、別の実施形態において、割り当てユニット１１４は、ＵＥが第１のＭＭＥに第２のＭＭＥプールのカバレッジ内の基地局と第１のＭＭＥとの間のＳ１リンクを通じてアクセスする場合に、加入者ＩＤをＵＥに割り当てるように構成され得る。ここで、加入者ＩＤは、Ｍ−ＴＭＳＩを含み、Ｍ−ＴＭＳＩの値は、プリセットの番号セグメント内である。判定ユニット１１１は、加入者ＩＤにおけるＭ−ＴＭＳＩの値がプリセットの番号セグメント内である場合、ＵＥは第２のＭＭＥプールのカバレッジ内のＵＥであると判定するように具体的に構成される。
【０１１４】
随意的に、前述の実施形態６におけるように、オフローディングユニット１１２は、ロードリバランシング手続きを使用することによってＵＥをオフロードしてもよい。
【０１１５】
随意的に、前述の実施形態７におけるように、オフローディングユニット１１２は、デタッチ動作をＵＥに対して実行することによってＵＥをオフロードしてもよい。
【０１１６】
さらに、オフローディングユニット１１２をトリガしてＵＥをオフロードするための方法は、第２のＭＭＥプールが正常に戻った後に、オフローディングユニット１１２をトリガするためのコマンドを手動で実行して、第２のＭＭＥプールからのものであるＵＥをオフロードすることであり得る。
【０１１７】
本方法は、ＭＭＥ間のインターフェースメッセージを使用して、オフローディングユニット１１２をトリガして、ＵＥをオフロードすること、つまり、第２のＭＭＥプールが、第１のＭＭＥに、第２のＭＭＥプールの状態が変化するときに通知することであってもよい。このように、第２のＭＭＥプールが正常に戻る場合、オフローディングユニット１１２は、ロードリバランシング手続き又はデタッチ手続きを積極的に開始して、第２のＭＭＥプールからのものであるＵＥをオフロードし得る。この場合において、オフローディングユニット１１２は、ＵＥが第２のＭＭＥプールのカバレッジ内のＵＥである場合に、ＵＥをオフロードするように構成され、第１のＭＭＥは、通知メッセージを受信する。ここで、通知メッセージは、第２のＭＭＥプールにおける第２のＭＭＥによって送信され、第２のＭＭＥプールが正常な状態に戻ったことを通知するために使用される。
【０１１８】
本方法は、ＭＭＥによって、ＭＭＥ間のリンク（Ｓ１０リンク）の状態を周期的に検出し、リンクの状態に従って、オフローディングユニット１１２をトリガして、第２のＭＭＥプールからのものであるＵＥをオフロードすることであってもよい。例えば、第１のＭＭＥが、第１のＭＭＥと第２のＭＭＥプールにおける第２のＭＭＥとの間のＳ１０リンクが障害状態から正常な状態へ変化することを検出する場合、オフローディングユニット１１２は、ロードリバランシング手続き又はデタッチ手続きを積極的に開始して、第２のＭＭＥプールからのものであるＵＥをオフロードする。この場合において、図１４に示されるように、前述の装置１１０は、第１のＭＭＥと第２のＭＭＥとの間のリンクが正常であるかを検出するように構成された検出ユニット１１５をさらに含み得る。ここで、第２のＭＭＥは、第２のＭＭＥプールに位置する。オフローディングユニット１１２は、ＵＥが第２のＭＭＥプールのカバレッジ内のＵＥである場合、ＵＥをオフロードするように具体的に構成され、検出ユニット１１５は、第１のＭＭＥと第２のＭＭＥとの間のリンクが正常であることを検出する。
【０１１９】
留意すべき点は、前述の判定ユニット１１１及びオフローディングユニット１１２が、ＭＭＥのプロセッサから独立したハードウェアの形式で実装されてもよく、別個に若しくは共に実装されてもよく、マイクロプロセッサの形式であってもよく、又はＭＭＥのプロセッサ内にハードウェアの形式で埋め込まれてもよく、ＭＭＥのプロセッサが判定ユニット１１１及びオフローディングユニット１１２に対応する動作を実行するように、ＭＭＥのプロセッサにソフトウェアの形式で記憶されてもよい点である。受信ユニット１１３は、ＭＭＥのインターフェース回路であってもよく、割り当てユニット１１４は、判定ユニット１１１若しくはオフローディングユニット１１２と同じ形式で実装され、判定ユニット１１１及びオフローディングユニット１１２と一体化されても、又は別個に実装されてもよい。検出ユニット１１５は、判定ユニット１１１若しくはオフローディングユニット１１２と同じ形式で実装されてもよく、判定ユニット１１１及びオフローディングユニット１１２と一体化されても、又は別個に実装されてもよく、ＭＭＥのインターフェース回路に一体化されてもよい。本発明のこの実施形態は、これに対していかなる限定も課さない。前述のプロセッサは、中央処理装置（ＣＰＵ）、マイクロプロセッサ、単一チップマイクロコンピュータ等であってもよい。
（実施例１１）
【０１２０】
図１５は、本発明の実施形態１１に係るＭＭＥの概略構造図である。
【０１２１】
図１５に示されるように、ＭＭＥ１５０は、第１のインターフェース回路１５１と、第２のインターフェース回路１５２と、メモリ１５３と、第１のインターフェース回路１５１、第２のインターフェース回路１５２、及びメモリ１５３に接続されるプロセッサ１５４とを含む。第１のインターフェース回路１５１は、基地局と通信するように構成され、第２のインターフェース回路１５２は、別のＭＭＥと通信するように構成され、メモリ１５３は、ＭＭＥによる動作のために必要とされるパラメータ又はプログラムコードなどの情報を記憶するように構成され、プロセッサ１５４は、判定ユニット１１１及びオフローディングユニット１１２に対応する動作を実行するように構成される。
【０１２２】
例えば、判定ユニット１１１及びオフローディングユニット１１２が、メモリ１５３においてソフトウェアの形式で記憶される場合、メモリ１５３は、プログラムコードのグループを記憶するように構成され、プロセッサ１５４は、メモリ１５３において記憶されるプログラムコードを起動し、例えば、第１のＭＭＥにアクセスするＵＥが第２のＭＭＥプールのカバレッジ内のＵＥであるかを判定するステップであって、第１のＭＭＥが、第１のＭＭＥプールに位置し、第１のＭＭＥプールが、第２のＭＭＥプールのバックアップＭＭＥプールである、ステップと、ＵＥが第２のＭＭＥプールのカバレッジ内のＵＥであり、且つ、第２のＭＭＥプールが正常な状態にある場合、ＵＥをオフロードするステップとを含む、実施形態１又は実施形態２における動作を実行するように構成される。
【０１２３】
別の例として、判定ユニット１１１及びオフローディングユニット１１２が、ハードウェアの形式で一体化されて、プロセッサ１５４を形成する場合、プロセッサは、判定ユニット１１１及びオフローディングユニット１１２に対応する動作を実行するように構成される。
【０１２４】
前述の実施形態３におけるように、プロセッサは、ＵＥが第２のＭＭＥプールのカバレッジ内のＵＥであるかを、ＵＥによって登録されるＴＡ情報に従って具体的に判定し得る。この場合において、第１のインターフェース回路１５１は、基地局によって報告されるＴＡ情報と、ＵＥによって登録され、ＵＥによって報告されるＴＡ情報とを受信するように構成される。ここで、ユーザ機器は、基地局のカバレッジ内に存在する。プロセッサ１５４は、基地局によって報告されるＴＡ情報と、ＵＥによって登録され、ＵＥによって報告されるＴＡ情報とが一致するかを判定し、基地局によって報告されるＴＡ情報と、ＵＥによって登録されるＴＡ情報とが一致する場合、ＵＥをオフロードするように構成される。
【０１２５】
前述の実施形態４におけるように、プロセッサ１５４は、ＵＥが第２のＭＭＥプールのカバレッジ内のＵＥであるかを、ＵＥの加入者ＩＤに従って判定し得る。この場合において、プロセッサ１５４は、加入者ＩＤをＵＥに割り当てるようにさらに構成される。ここで、加入者ＩＤは、フラグを含み、ＵＥが第１のＭＭＥに第２のＭＭＥプールのカバレッジ内の基地局と第１のＭＭＥとの間のＳ１リンクを通じてアクセスする場合、フラグの値は、既定値である。プロセッサ１５４は、加入者ＩＤにおけるフラグが既定値であるかを判定し、加入者ＩＤにおけるフラグが既定値である場合、ＵＥをオフロードするようにさらに構成される。
【０１２６】
前述の実施形態５におけるように、別の実施形態において、プロセッサ１５４に割り当てられる加入者ＩＤは、Ｍ−ＴＭＳＩを含み、ＵＥが第１のＭＭＥに第２のＭＭＥプールのカバレッジ内の基地局と第１のＭＭＥとの間のＳ１リンクを通じてアクセスする場合、Ｍ−ＴＭＳＩの値は、プリセットの番号セグメント内である。プロセッサ１５４は、加入者ＩＤにおけるＭ−ＴＭＳＩの値がプリセットの番号セグメント内であるかを判定し、加入者ＩＤにおけるＭ−ＴＭＳＩの値がプリセットの番号セグメント内である場合、ＵＥをオフロードするようにさらに構成される。
【０１２７】
随意的に、前述の実施形態６におけるように、プロセッサ１５４は、ロードリバランシング手続きを使用することによってＵＥをオフロードしてもよい。
【０１２８】
随意的に、前述の実施形態７におけるように、プロセッサ１５４は、デタッチ動作をＵＥに対して実行することによってＵＥをオフロードしてもよい。
【０１２９】
さらに、プロセッサ１５４をトリガしてＵＥをオフロードするための方法は、第２のＭＭＥプールが正常に戻った後に、プロセッサ１５４をトリガするためのコマンドを手動で実行して、第２のＭＭＥプールからのものであるＵＥをオフロードすることであってもよい。
【０１３０】
本方法は、ＭＭＥ間のインターフェースメッセージを使用し、プロセッサ１５４をトリガして、ＵＥをオフロードすること、つまり、第２のＭＭＥプールが、第１のＭＭＥに、第２のＭＭＥプールの状態が変化したときに通知することであってもよい。このように、第２のＭＭＥプールが、正常に戻った場合、プロセッサ１５４は、ロードリバランシング手続き又はデタッチ手続きを積極的に開始して、第２のＭＭＥプールからのものであるＵＥをオフロードし得る。この場合において、プロセッサ１５４は、ＵＥが第２のＭＭＥプールのカバレッジ内のＵＥであり、且つ、第２のインターフェース回路１５２が通知メッセージを受信する場合、ＵＥをオフロードするように構成される。ここで、通知メッセージは、第２のＭＭＥプールにおける第２のＭＭＥによって送信され、第２のＭＭＥプールが正常な状態に戻ったことを通知するために使用される。
【０１３１】
本方法は、ＭＭＥによって、ＭＭＥ間のリンク（Ｓ１０リンク）の状態を周期的に検出し、リンクの状態に従って、プロセッサ１５４をトリガして、第２のＭＭＥプールからのものであるＵＥをオフロードすることであってもよい。例えば、第１のＭＭＥが、第１のＭＭＥと第２のＭＭＥプールにおける第２のＭＭＥとの間のＳ１０リンクが障害状態から正常な状態へ変化することを検出する場合、プロセッサ１５４は、ロードリバランシング手続き又はデタッチ手続きを積極的に開始して、第２のＭＭＥプールからのものであるＵＥをオフロードする。この場合において、図１６に示されるように、前述の装置１５０は、第１のＭＭＥと第２のＭＭＥとの間のリンクが正常であるかを検出するように構成された検出回路１５５をさらに含み得る。ここで、第２のＭＭＥは、第２のＭＭＥプールに位置する。プロセッサ１５４は、ＵＥが第２のＭＭＥプールのカバレッジ内のＵＥである場合、ＵＥをオフロードするように具体的に構成され、検出回路１５５は、第１のＭＭＥと第２のＭＭＥとの間のリンクが正常であることを検出する。検出回路１５５は、独立して実装されてもよく、又は第２のインターフェース回路１５２に一体化されてもよい。
【０１３２】
上記の実施形態の説明を通じて、当業者は、本発明がハードウェア、若しくはファームウェア、又はこれらの組み合わせによって実装され得ることを明確に理解することができる。本発明がソフトウェアによって実装される場合、前述の機能は、コンピュータ読取可能な媒体において記憶され、又は、１若しくは複数の命令若しくはコードとしてコンピュータ読取可能な媒体において送信され得る。コンピュータ読取可能な媒体は、コンピュータ記憶媒体と通信媒体とを含む。ここで、通信媒体は、コンピュータプログラムを１つの場所から別の場所へ伝送するために都合が良い任意の媒体を含む。記憶媒体は、コンピュータによってアクセス可能な任意の利用可能な媒体であり得る。下記は、一例であるが、本発明は、この例に限定されない。コンピュータ読取可能な媒体は、ＲＡＭ、ＲＯＭ、ＥＥＰＲＯＭ、ＣＤ−ＲＯＭ、又は光ディスク及び磁気ディスクといった他の記憶媒体、又は他の磁気記憶デバイス、又は期待されるプログラムコードを命令若しくはデータ構造の形式で伝達若しくは記憶することができ、コンピュータによってアクセス可能な任意の他の媒体を含み得る。また、任意の接続は、適切な場合には、コンピュータ読取可能であり得る。例えば、ソフトウェアが、ウェブサイト、サーバ、又は他の遠隔ソースから、同軸ケーブル、光ファイバ及びケーブル、ツイストペア、デジタル加入者回線（ＤＳＬ）、又は、赤外線、無線、若しくはマイクロ波などの無線技術、同軸ケーブル、光ファイバ及びケーブル、ツイストペア、ＤＳＬなどの無線技術を使用することによって送信される場合、同軸ケーブル、光ファイバ及びケーブル、ツイストペア、ＤＳＬ、又は赤外線、無線、若しくはマイクロ波などの無線技術は、媒体の定義に含まれる。例えば、本発明において使用されるディスク（Ｄｉｓｋ）及びディスク（ｄｉｓｃ）は、コンパクトディスク（ＣＤ）、レーザディスク、光ディスク、デジタル多用途ディスク（ＤＶＤ）、フロッピーディスク、及びブルーレイディスクを含む。ここで、ディスク（ｄｉｓｋ）は、通常、データを磁気的に複製し、ディスク（ｄｉｓｃ）は、レーザを使用することによってデータを光学的に複製する。前述の組み合わせも、コンピュータ読取可能な媒体の保護範囲内に収まるべきものである。
【０１３３】
結論として、前述の実施形態は、本発明の技術的解決策の例示的な実施形態に過ぎず、本発明を限定することを意図されない。任意の変形、均等な置換、及び本発明の原理から逸脱することなく行われる改良は、本発明の保護範囲内に収まるべきものである。
【国際調査報告】
2016522647.tif 000019
2016522647.tif 000020
2016522647.tif 000021
2016522647.tif 000022